(57)【要約】  圧力ジャケットは、長手方向軸に沿って近位方向にバレルの近位端の終端部分から突出する少なくとも1つの係合部材を含む。少なくとも1つの係合部材は、バレルの遠位端から近位端に向かう方向に軸方向にテーパが付けられる。少なくとも1つの係合部材は、流体インジェクタ上のロック機構と係合して、圧力ジャケットを流体インジェクタに解放可能にロックする。少なくとも1つの係合部材のテーパは、バレルを回転的に案内してロック機構と自己整列させ、バレルが長手方向軸の周りを回転する際にバレルを軸方向に排出する。
2017532156.tif 000002
【特許請求の範囲】
【請求項１】
流体インジェクタと共に使用するための圧力ジャケットであって、遠位端と、近位端と、長手方向軸に沿って前記遠位端と前記近位端との間で実質的に円周方向に延在する側壁と、を有するバレルと、
前記側壁の終端部分から前記長手方向軸に沿って近位方向に突出し、前記遠位端から前記近位端に向かう方向に軸方向にテーパが付けられた少なくとも1つの係合部材と、を含み、
前記少なくとも1つの係合部材は、流体インジェクタの圧力ジャケットポートに前記圧力ジャケットを解放可能に配置するように、前記流体インジェクタのロック機構と係合するように構成され、
前記少なくとも1つの係合部材のテーパは、前記圧力ジャケットを回転的に案内して前記ロック機構と整列させるとともに、前記圧力ジャケットの回転時に前記圧力ジャケットを軸方向に排出するように構成される、
圧力ジャケット。
【請求項２】
複数の係合部材が前記終端部分の円周の少なくとも一部の周りに延在する、請求項1に記載の圧力ジャケット。
【請求項３】
前記複数の係合部材は、前記終端部分の前記円周の周りに均等に離間して配置されている、請求項2に記載の圧力ジャケット。
【請求項４】
前記少なくとも1つの係合部材は、波形形状または正弦波形状を有する、請求項1から3のいずれか一項に記載の圧力ジャケット。
【請求項５】
前記少なくとも1つの係合部材は、少なくとも1つのテーパ面を有する尖った近位端を有し、前記少なくとも1つのテーパ面は、前記尖った近位端から前記長手方向軸に沿って遠位方向に前記側壁の前記終端部分まで延在する、請求項1から4のいずれか一項に記載の圧力ジャケット。
【請求項６】
前記少なくとも1つの係合部材の前記尖った近位端は、鋭いまたは丸い先端を有する、請求項5に記載の圧力ジャケット。
【請求項７】
前記少なくとも1つのテーパ面は、前記長手方向軸の方向に対して傾斜している、請求項5または6に記載の圧力ジャケット。
【請求項８】
前記少なくとも1つのテーパ面は、直線状または曲線状である、請求項5から7のいずれか一項に記載の圧力ジャケット。
【請求項９】
前記少なくとも1つのテーパ面は、連続的または不連続的である、請求項5から8のいずれか一項に記載の圧力ジャケット。
【請求項１０】
前記少なくとも1つのテーパ面は、平面である、請求項5から9のいずれか一項に記載の圧力ジャケット。
【請求項１１】
前記圧力ジャケットの少なくとも一部に少なくとも1つの符号化装置をさらに含む、請求項1から10のいずれか一項に記載の圧力ジャケット。
【請求項１２】
前記少なくとも1つの符号化装置は、前記少なくとも1つの係合部材のうちの少なくとも1つの上にある、請求項11に記載の圧力ジャケット。
【請求項１３】
前記少なくとも1つの係合部材は、前記側壁の前記終端部分とモノリシックに形成されている、請求項1から12のいずれか一項に記載の圧力ジャケット。
【請求項１４】
前記少なくとも1つの係合部材は、前記側壁の前記終端部分から分離可能である、請求項1から13のいずれか一項に記載の圧力ジャケット。
【請求項１５】
前記流体インジェクタの前記ロック機構と係合するための前記少なくとも1つの係合部材の遠位側で、前記側壁の外面から前記長手方向軸に対して半径方向外側に突出して、前記圧力ジャケットを前記流体インジェクタの前記圧力ジャケットポートに解放可能にロックするフランジをさらに含む、請求項1から14のいずれか一項に記載の圧力ジャケット。
【請求項１６】
前記フランジは、前記側壁の前記外面の少なくとも一部の周りに延在する、請求項15に記載の圧力ジャケット。
【請求項１７】
前記フランジは、前記圧力ジャケットを前記ロック機構へ長手方向に挿入する長さを制限するための長手方向停止面を有する、請求項15または16に記載の圧力ジャケット。
【請求項１８】
前記少なくとも1つの係合部材は、円形、三角形、または多角形の形状を有する、請求項1から17のいずれか一項に記載の圧力ジャケット。
【請求項１９】
前記バレル内に摺動可能に配置され、前記近位端と前記遠位端との間で移動可能なプランジャをさらに含む、請求項1から18のいずれか一項に記載の圧力ジャケット。
【請求項２０】
遠位端と、近位端と、長手方向軸に沿って前記遠位端と前記近位端との間で実質的に円周方向に延在する側壁と、を有するバレルを含む少なくとも1つの圧力ジャケットであって、前記バレルは、前記側壁の終端部分から前記長手方向軸に沿って近位方向に突出し、前記遠位端から前記近位端に向かう方向に軸方向にテーパが付けられた少なくとも1つの係合部材を含む、少なくとも1つの圧力ジャケットと、
前記少なくとも1つの圧力ジャケットを受け入れるための少なくとも1つの圧力ジャケットポートを画定するインジェクタハウジングを含むインジェクタと、
前記少なくとも1つの圧力ジャケットポート内に前記少なくとも1つの圧力ジャケットを固定するための前記少なくとも1つの圧力ジャケットポートに関連するロック機構であって、前記少なくとも1つの圧力ジャケットポート内に前記少なくとも1つの圧力ジャケットを解放可能に配置するように、前記圧力ジャケットの前記少なくとも1つの係合部材と係合するように構成されたロック機構と、
を含み、
前記少なくとも1つの係合部材のテーパは、前記圧力ジャケットを回転的に案内して前記ロック機構と整列させるとともに、前記圧力ジャケットの回転時に前記圧力ジャケットを軸方向に排出するように構成される、流体注入装置。
【請求項２１】
前記ロック機構は、
前記少なくとも1つの圧力ジャケットの前記近位端を受け入れるように構成された中央開口部を有するハウジングと、
ガイドリングであって、前記ガイドリングの中心軸が前記ハウジングの中心軸と同軸に整列するように前記ハウジングに対して固定され、前記ガイドリングの内周から前記ガイドリングの外周まで延在する少なくとも1つの凹部を有するガイドリングと、
前記ガイドリングの前記少なくとも1つの凹部内に移動可能に受容されるように構成された少なくとも1つの偏向可能な保持要素と、
前記少なくとも1つの圧力ジャケットが前記少なくとも1つの圧力ジャケットポートに挿入された場合に、前記少なくとも1つの係合部材と係合するように構成されたロック／リリースリングであって、前記少なくとも1つの圧力ジャケットの前記長手方向軸の周りの回転により、前記ハウジングに対して回転可能であるロック／リリースリングと、
を含む、請求項20に記載の流体注入装置。
【請求項２２】
前記少なくとも1つの偏向可能な保持要素の少なくとも一部に一端で接続され、前記少なくとも1つの偏向可能な保持要素を半径方向内向きに圧接する少なくとも1つの弾力的な弾性部材をさらに含む、請求項21に記載の流体注入装置。
【請求項２３】
前記少なくとも1つの偏向可能な保持要素は、前記少なくとも1つの圧力ジャケットの近位方向への移動が前記少なくとも1つの偏向可能な保持要素の半径方向外向きの移動を引き起こすように、前記長手方向軸に対して傾斜しているロックリップを含む、請求項21または22に記載の流体注入装置。
【請求項２４】
前記ロック／リリースリングは、前記少なくとも1つの係合部材を受け入れるための相補的形状を有する1つまたは複数の圧力ジャケット係合部材を含む、請求項21から23のいずれか一項に記載の流体注入装置。
【請求項２５】
前記ロック／リリースリングは、前記少なくとも1つの偏向可能な保持要素の動きを案内するために、上面に配置された少なくとも1つのガイドスロットを含む、請求項21から24のいずれか一項に記載の流体注入装置。
【請求項２６】
前記少なくとも1つのガイドスロットは、少なくとも1つのガイドトラックを含む、請求項25に記載の流体注入装置。
【請求項２７】
前記少なくとも1つの偏向可能な保持要素が第1の半径方向位置にある場合には、前記少なくとも1つの偏向可能な保持要素は、第1の端部で前記少なくとも1つのガイドトラックに係合し、
前記少なくとも1つの偏向可能な保持要素が、前記第1の半径方向位置とは異なる第2の半径方向位置にある場合には、前記少なくとも1つの偏向可能な保持要素は、第2の端部で前記少なくとも1つのガイドトラックに係合する、請求項26に記載の流体注入装置。
【請求項２８】
前記少なくとも1つの凹部の側縁部は、前記少なくとも1つの偏向可能な保持要素の移動を案内するための移動経路を画定する、請求項21から27のいずれか一項に記載の流体注入装置。
【請求項２９】
前記少なくとも1つの圧力ジャケットが前記少なくとも1つの圧力ジャケットポートに挿入される場合に、前記ガイドリングの上面の少なくとも一部は、前記少なくとも1つの圧力ジャケットの近位方向への移動を制限する停止面を画定する、請求項21から28のいずれか一項に記載の流体注入装置。
【請求項３０】
遠位端と、近位端と、長手方向軸に沿って前記遠位端と前記近位端との間で実質的に円周方向に延在する側壁と、を有するバレルと、
前記側壁の終端部分から前記長手方向軸に沿って近位方向に突出し、前記遠位端から前記近位端に向かう方向に軸方向にテーパが付けられた少なくとも1つの係合部材と、
前記少なくとも1つの係合部材の遠位側で、前記長手方向軸に対して前記側壁の外面から半径方向外側に突出するフランジと、
を含む圧力ジャケットであって、
前記少なくとも1つの係合部材は、流体インジェクタの流体ポートに前記圧力ジャケットを解放可能に配置するように、前記流体インジェクタのロック機構と係合するように構成され、
前記少なくとも1つの係合部材のテーパは、前記圧力ジャケットを回転的に案内して前記ロック機構と整列させるとともに、前記圧力ジャケットの回転時に前記圧力ジャケットを軸方向に排出するように構成される、
圧力ジャケット。
【発明の詳細な説明】
【技術分野】
【０００１】
関連出願との相互参照
この出願は、「Self−Orienting Plunger and Plunger−to−Piston Interface」という名称の2014年10月28日に出願された米国仮特許出願第62／069，758号に対する優先権を主張し、その開示はその全体が参照により本明細書に組み込まれる。
【背景技術】
【０００２】
開示の分野
本開示は、一般的には、流体インジェクタと共に使用するためのフロントローディングシリンジおよび圧力ジャケットと、シリンジおよび／または圧力ジャケットを流体インジェクタに固定するための接続インターフェースと、シリンジおよび／または圧力ジャケットを流体インジェクタに装填し、それから取り外すための方法と、シリンジプランジャを流体インジェクタのピストンに固定するための接続インターフェースと、に関する。
【０００３】
関連技術の説明
多くの医学診断および治療手順では、医師などの開業医が患者に1つまたは複数の医用流体を注入する。近年、造影溶液（しばしば単に「造影剤」と呼ばれる）、生理食塩水などのフラッシング剤、および他の医用流体などの医用流体の加圧注入のための多くのインジェクタ作動シリンジおよび流体インジェクタが、血管造影法、コンピュータ断層撮影法（CT）、超音波、磁気共鳴撮像法（MRI）、陽電子放射断層撮影法（PET）、および他の分子撮像手順などの手順で使用するために開発された。一般に、これらの流体インジェクタは、予め設定された圧力および／または流量で予め設定された量の流体を送出するように設計されている。
【０００４】
いくつかの注入手順では、開業医は、チューブまたは他の流体送出接続部に接続されたカテーテルまたは針を患者の静脈または動脈に配置する。カテーテルまたはチューブは、手動または自動の流体注入機構のいずれかに接続される。自動流体注入機構は、典型的には、たとえば、少なくとも1つの動力線形ピストンを有する少なくとも1つの流体インジェクタに接続された少なくとも1つのシリンジを含む。少なくとも1つのシリンジは、たとえば、造影剤源および／またはフラッシング流体源を含む。開業医は、一定量の造影剤および／または生理食塩水およびそれぞれの一定の注入速度のために、流体インジェクタの電子制御システムに設定を入力する。
【０００５】
注入された造影剤および／または生理食塩水は、患者の腕または鼠径部などの患者の体内に挿入されたカテーテルまたは針を通して患者の脈管構造に送出される。造影剤の用量はボーラスと呼ばれる。造影剤のボーラスが所望の部位に送達されると、その領域は、血管造影撮像法または走査、コンピュータ断層撮影法（CT）、超音波、磁気共鳴撮像法（MRI）、陽電子放射断層撮影法（PET）、および他の分子撮像手順などの従来の撮像技術を用いて撮像される。造影剤の存在は、周囲の組織のバックグラウンドに対してはっきりと見えるようになる。
【０００６】
シリンジの流体インジェクタへの装填および流体インジェクタからの取り外しを容易にするために、様々なフロントローディング接続インターフェースが開発されている。いくつかの態様では、保持機構を有するシリンジは、シリンジを流体インジェクタに設けられた対応するロック機構と整列させることによって、流体インジェクタ上のシリンジポートに挿入される。開業医は、シリンジがインジェクタに装填され得る前に、シリンジの保持機構を流体インジェクタの対応するロック機構と手動で整列させることがしばしば必要である。場合によっては、米国特許第6，336，913号に示されているように、1つまたは2つの整列しか存在しない。このシリンジでは、操作者はシリンジを手動で回転させて、シリンジを流体インジェクタに係合させることができる整列を見出さなければならない。インジェクタの操作のために十分に強く係合させるためには、操作者がシリンジをロック機構に対して手動で回転させる必要がある。米国特許第6，652，489号に開示された別のシリンジでは、設置または係合のためにシリンジを回転的に整列させる必要はなく、また、シリンジを回転させる必要もない。シリンジを取り外すためには、操作者は、シリンジをその長手方向軸の周りに少なくとも45度、より一般的には90度回転させて、ロック機構を外さなければならない。同時に、プランジャは、シリンジの回転中にピストンから外されなければならない。回転後、操作者はシリンジとプランジャをインジェクタから物理的に引き出す必要がある。いくつかの態様では、操作者は、シリンジを回転させながら同時にシリンジとプランジャを引っ張らなければならない。圧力ジャケットを有する流体インジェクタシステムは、同様の問題に関連する。一般に、圧力ジャケットを流体インジェクタから取り外すためには、操作者は、長手方向軸の周りに少なくとも45度、より一般的には90度回転させてロック機構を外さなければならない。回転後、操作者は圧力ジャケットをインジェクタから物理的に引き出す必要がある。いくつかの態様では、操作者は圧力ジャケットを回転させながら同時に圧力ジャケットを引っ張らなければならない。このようなシリンジと圧力ジャケットとの接続機構は、インジェクタからシリンジおよび／または圧力ジャケットを装填し／取り外すための追加の時間と努力を必要とし、医用注入手順の時間が長くなる。
【０００７】
したがって、当技術分野では、改良されたシリンジ−インジェクタ、圧力ジャケット−インジェクタ、およびピストン−プランジャの取り付け、インターフェース、および／またはロック機能に対する必要性が存在し、これらは、操作者がシリンジ、圧力ジャケットおよび／またはプランジャを流体インジェクタからより容易に分離または解放することを可能にし、たとえば、シリンジおよび／または圧力ジャケットを同時に引っ張り、回転させる労力から操作者を解放する。シリンジを流体インジェクタに取り付ける際に、プランジャをピストンに回転的に整列させる必要性を低減または除去する必要性が当技術分野においてさらに存在している。様々なシリンジ、プランジャ、圧力ジャケット、およびプランジャ／ピストン接続インターフェース、ならびに方法が医療分野において知られているが、改良されたシリンジ、プランジャ、圧力ジャケット、およびプランジャ／ピストン接続インターフェース、ならびにシリンジおよび／または圧力ジャケットを流体インジェクタへ装填し、それから取り外すための方法は、依然として要求されている。
【先行技術文献】
【特許文献】
【０００８】
【特許文献１】米国特許第6，336，913号明細書
【発明の概要】
【発明が解決しようとする課題】
【０００９】
シリンジおよび／または圧力ジャケットと流体インジェクタとの間の既存の接続インターフェースの特定の欠点を考慮して、従来技術の欠点を克服する改良されたシリンジ、圧力ジャケット、ならびにシリンジ、圧力ジャケット、および流体インジェクタの間の接続インターフェースに対する必要性が当技術分野にある。シリンジおよび／または圧力ジャケットを流体インジェクタに装填または装着して流体インジェクタから取り外すための改良された方法がさらに必要とされ、その結果、シリンジおよび／または圧力ジャケットを流体インジェクタに装填または流体インジェクタから取り外すことができるように、シリンジおよび／または圧力ジャケットを流体インジェクタに対して長手方向軸の周りに回転的に整列させる必要がなくなる。
【課題を解決するための手段】
【００１０】
一態様では、シリンジは、遠位端と、近位端と、長手方向軸に沿って遠位端と近位端との間で実質的に円周方向に延在する側壁と、を有するバレルを含んでもよい。少なくとも1つの係合部材は、長手方向軸に沿って近位方向に側壁の近位端の終端部分から突出してもよい。少なくとも1つの係合部材は、遠位端から近位端に向かう方向に軸方向および／または円周方向にテーパが付けられてもよい。少なくとも1つの係合部材は、流体インジェクタのシリンジポート内にシリンジを解放可能に配置するように、流体インジェクタのロック機構と係合するように構成されてもよい。少なくとも1つの係合部材のテーパは、シリンジを回転的に案内してロック機構と整列させるとともに、シリンジの回転時にシリンジを軸方向に排出するように構成されてもよい。
【００１１】
別の態様では、複数の係合部材が終端部分の円周の少なくとも一部の周りに延在してもよい。複数の係合部材は、終端部分の円周の周りに均等にまたは不均一に離間して配置されてもよい。特定の態様では、少なくとも1つの係合部材は、波形形状または実質的に正弦波形状を有してもよい。他の態様では、少なくとも1つの係合部材は、尖った近位端から長手方向軸に沿って遠位方向に側壁の終端部分まで延在する少なくとも1つのテーパ面を有する尖った近位端を有してもよい。少なくとも1つの係合部材の尖った近位端は、鋭いまたは丸い先端を有してもよい。少なくとも1つのテーパ面は、長手方向軸の方向に対して傾斜してもよい。少なくとも1つのテーパ面は、直線状、曲線状、連続的、不連続的、または平面状であってもよい。いくつかの態様では、少なくとも1つの係合部材の少なくとも1つなどの、シリンジの少なくとも一部に符号化装置を設けてもよい。特定の態様では、少なくとも1つの係合部材は、側壁の終端部分とモノリシックに形成されてもよい。少なくとも1つの係合部材は、円形、三角形、または多角形の形状を有してもよい。他の態様では、少なくとも1つの係合部材は、側壁の終端部分から分離可能であってもよい。
【００１２】
別の態様では、保持フランジは、流体インジェクタのロック機構と係合するための少なくとも1つの係合部材の遠位側で、側壁の外面から長手方向軸に対して半径方向外側に突出して、シリンジを流体インジェクタのシリンジポートに解放可能にロックしてもよい。保持フランジは、側壁の外面の少なくとも一部の周りに延在してもよい。保持フランジは、シリンジをロック機構内に保持するために、少なくとも1つの偏向可能な保持要素と相互作用してもよい。特定の態様では、保持フランジは、シリンジをロック機構へ長手方向に挿入する長さを制限するための長手方向停止面を有してもよい。プランジャは、シリンジのバレル内に摺動可能に配置され、近位端と遠位端との間で移動可能であってもよい。シリンジは、医用流体がシリンジの遠位端から医用インジェクタのシリンジポートに滴下して医用インジェクタの内部動作を汚すことを防止するために、保持フランジの遠位にあるドリップフランジをさらに含んでもよい。
【００１３】
別の態様では、流体注入装置は、遠位端と、近位端と、長手方向軸に沿って遠位端と近位端との間で実質的に円周方向に延在する側壁と、を備えるバレルを有する少なくとも1つのシリンジを含んでもよい。バレルは、長手方向軸に沿って近位方向に側壁の近位端の終端部分から突出する少なくとも1つの係合部材を含んでもよい。少なくとも1つの係合部材は、遠位端から近位端に向かう方向に軸方向および／または円周方向にテーパが付けられてもよい。流体注入装置は、少なくとも1つのシリンジの近位端を受け入れるための少なくとも1つのシリンジポートを画定するインジェクタハウジングを有するインジェクタをさらに含んでもよい。ロック機構は、少なくとも1つのシリンジポート内に少なくとも1つのシリンジを解放可能に固定するために、少なくとも1つのシリンジポートに関連してもよい。ロック機構は、少なくとも1つのシリンジを解放可能に配置するために、シリンジの少なくとも1つの係合部材を係合するように構成されてもよい。少なくとも1つの係合部材のテーパは、シリンジを回転的に案内してロック機構と自己整列させ、ロック機構内のシリンジの回転時にシリンジを軸方向に排出するように構成されてもよい。特定の態様では、ロック機構内のシリンジの回転は、シリンジを軸方向に排出する前に、保持フランジを少なくとも1つの偏向可能な保持要素から外す。
【００１４】
さらに別の態様では、ロック機構は、少なくとも1つのシリンジの近位端を受け入れるように構成された中央開口部を有するハウジングを含んでもよい。ガイドリングは、ガイドリングの中心軸がハウジングの中心軸と同軸に整列するように、ハウジングに対して固定されてもよい。ガイドリングは、ガイドリングの内周からガイドリングの外周まで延在する少なくとも1つの凹部を有してもよい。少なくとも1つの偏向可能な保持要素は、ガイドリングの少なくとも1つの凹部内に移動可能に受容されるように構成されてもよい。ロック／リリースリングは、少なくとも1つのシリンジが少なくとも1つのシリンジポートに挿入された場合に、少なくとも1つの係合部材と係合するように構成されてもよい。ロック／リリースリングは、少なくとも1つのシリンジの長手方向軸の周りの回転によりハウジングに対して回転可能であってもよい。少なくとも1つの弾力的な弾性部材は、少なくとも1つの偏向可能な保持要素の少なくとも一部に一端で接続され、少なくとも1つのシリンジの保持フランジを外すために少なくとも1つの偏向可能な保持要素を半径方向内向きに圧接し(urge)てもよい。
【００１５】
別の態様では、少なくとも1つの偏向可能な保持要素は、長手方向軸に対して傾斜しているロックリップを含んでもよく、少なくとも1つのシリンジの近位方向への移動が、少なくとも1つの偏向可能な保持要素の半径方向外向きの移動を引き起こす。ロック／リリースリングは、少なくとも1つの係合部材を受け入れるための相補的形状を有する1つまたは複数のシリンジ係合部材を含んでもよい。ロック／リリースリングは、少なくとも1つの偏向可能な保持要素の動きを案内するために、上面に配置された少なくとも1つのガイドスロットを含んでもよい。少なくとも1つのガイドスロットは、少なくとも1つのガイドトラックを含んでもよい。少なくとも1つの偏向可能な保持要素は、少なくとも1つの偏向可能な保持要素が第1の半径方向位置にある場合には、第1の端部で少なくとも1つのガイドトラックに係合してもよく、少なくとも1つの偏向可能な保持要素が第1の半径方向位置とは異なる第2の半径方向位置にある場合には、第2の端部で少なくとも1つのガイドトラックに係合してもよい。少なくとも1つの凹部の側縁部は、少なくとも1つの偏向可能な保持要素の移動を案内するための移動経路を画定してもよい。少なくとも1つのシリンジが少なくとも1つのシリンジポートに挿入された場合に、ガイドリングの上面の少なくとも一部は、少なくとも1つのシリンジの近位方向への移動を制限する停止面を画定してもよい。
【００１６】
さらなる態様では、シリンジは、遠位端と、近位端と、長手方向軸に沿って遠位端と近位端との間で実質的に円周方向に延在する側壁と、を有するバレルを含んでもよい。少なくとも1つの係合部材は、長手方向軸に沿って近位方向に側壁の近位端の終端部分から突出してもよい。少なくとも1つの係合部材は、遠位端から近位端に向かう方向に軸方向および／または円周方向にテーパが付けられてもよい。保持フランジは、少なくとも1つの係合部材の遠位側で、長手方向軸に対して側壁の外面から半径方向外側に突出してもよい。少なくとも1つの係合部材は、流体インジェクタのシリンジポート内にシリンジを解放可能に配置するように、流体インジェクタのロック機構と係合するように構成されてもよい。少なくとも1つの係合部材のテーパは、シリンジを回転的に案内してロック機構と自己整列させ、シリンジの回転時にシリンジを軸方向に排出するように構成されてもよい。特定の態様では、ロック機構内のシリンジの回転は、シリンジを軸方向に排出する前に、保持フランジを少なくとも1つの偏向可能な保持要素から外す。
【００１７】
他の態様は、プランジャを有するシリンジに関する。シリンジは、遠位端と、近位端と、長手方向軸に沿って遠位端と近位端との間に延在する側壁と、を有するバレルと、長手方向軸に沿ってバレル内で往復摺動可能であって、遠位端および近位端を有するプランジャと、長手方向軸に沿って近位方向にプランジャの近位端の終端部分から突出する少なくとも1つの係合部材と、を含んでもよく、少なくとも1つの係合部材は、プランジャの遠位端から近位端に向かう方向に軸方向にテーパが付けられ、少なくとも1つの係合部材は、流体インジェクタのピストン上のロック機構と係合して、プランジャをピストンに解放可能にロックするように構成され、少なくとも1つの係合部材のテーパは、プランジャを回転的に案内してロック機構と自己整列させ、シリンジの回転時にプランジャを軸方向に排出するように構成される。
【００１８】
さらなる態様によれば、圧力ジャケットが流体インジェクタと共に使用するために提供される。圧力ジャケットは、遠位端と、近位端と、長手方向軸に沿って遠位端と近位端との間に延在する側壁と、を有するバレルを含んでもよい。圧力ジャケットは、長手方向軸に沿って近位方向にバレルの近位端の終端部分から突出する少なくとも1つの係合部材を含んでもよい。少なくとも1つの係合部材は、バレルの遠位端から近位端に向かう方向に軸方向にテーパが付けられてもよい。少なくとも1つの係合部材は、流体インジェクタ上のロック機構と係合して、圧力ジャケットを流体インジェクタに解放可能にロックしてもよい。少なくとも1つの係合部材のテーパは、バレルを回転的に案内してロック機構と自己整列させ、バレルが長手方向軸の周りを回転する際にバレルを軸方向に排出してもよい。
【００１９】
さらなる態様によれば、複数の係合部材が終端部分の円周の少なくとも一部の周りに延在してもよい。複数の係合部材は、終端部分の円周の周りに均等に離間して配置されてもよい。少なくとも1つの係合部材は、波形形状または正弦波形状を有してもよい。少なくとも1つの係合部材は、尖った近位端から長手方向軸に沿ってバレルの遠位方向に終端部分まで延在する少なくとも1つのテーパ面を有する尖った近位端を有してもよい。少なくとも1つの係合部材の尖った近位端は、鋭いまたは丸い先端を有してもよい。少なくとも1つの係合部材は、長手方向軸の方向に対して傾斜した表面を有してもよい。少なくとも1つのテーパ面は、直線状、曲線状、連続的、または不連続的であってもよい。少なくとも1つのテーパ面は、平面であってもよい。少なくとも1つの係合部材は、プランジャの終端部分とモノリシックに形成されてもよい。少なくとも1つの係合部材は、バレルの終端部分から分離可能であってもよい。フランジは、少なくとも1つの係合部材の遠位側で、長手方向軸に対してバレルの近位端の外面から半径方向外側に突出してもよい。フランジは、外面の少なくとも一部の周りに延在してもよい。フランジは、バレルを流体インジェクタのロック機構へ長手方向に挿入する長さを制限するための長手方向停止面を有してもよい。少なくとも1つの係合部材は、円形、三角形、または多角形の形状を有してもよい。バレルの遠位端の少なくとも一部を囲むためのキャップを設けてもよい。キャップは、バレルの遠位端に取り外し可能に取り付けてもよい。
【００２０】
他の態様によれば、圧力ジャケットは、以下の1つまたは複数の項によって特徴付けられてもよい。
【００２１】
第1項．流体インジェクタと共に使用するための圧力ジャケットであって、
遠位端と、近位端と、長手方向軸に沿って遠位端と近位端との間で実質的に円周方向に延在する側壁と、を有するバレルと、
側壁の終端部分分から長手方向軸に沿って近位方向に突出し、遠位端から近位端に向かう方向に軸方向にテーパが付けられた少なくとも1つの係合部材と、
を含み、
少なくとも1つの係合部材は、流体インジェクタの圧力ジャケットポートに圧力ジャケットを解放可能に配置するように、流体インジェクタのロック機構と係合するように構成され、
少なくとも1つの係合部材のテーパは、圧力ジャケットを回転的に案内してロック機構と整列させ、圧力ジャケットの回転時に圧力ジャケットを軸方向に排出するように構成される、
圧力ジャケット。
【００２２】
第2項．複数の係合部材が終端部分の円周の少なくとも一部の周りに延在する、第1項に記載の圧力ジャケット。
【００２３】
第3項．複数の係合部材は、終端部分の円周の周りに均等に離間して配置される、第2項に記載の圧力ジャケット。
【００２４】
第4項．少なくとも1つの係合部材は、波形形状または正弦波形状を有する、第1項から第3項のいずれか一項に記載の圧力ジャケット。
【００２５】
第5項．少なくとも1つの係合部材は、尖った近位端から長手方向軸に沿って遠位方向に側壁の終端部分まで延在する少なくとも1つのテーパ面を有する尖った近位端を有する、第1項から第4項のいずれか一項に記載の圧力ジャケット。
【００２６】
第6項．少なくとも1つの係合部材の尖った近位端は、鋭いまたは丸い先端を有する、第5項に記載の圧力ジャケット。
【００２７】
第7項．少なくとも1つのテーパ面は、長手方向軸の方向に対して傾斜している、第5項または第6項に記載の圧力ジャケット。
【００２８】
第8項．少なくとも1つのテーパ面は、直線状または曲線状である、第5項から第7項のいずれか一項に記載の圧力ジャケット。
【００２９】
第9項．少なくとも1つのテーパ面は、連続的または不連続的である、第5項から第8項のいずれか一項に記載の圧力ジャケット。
【００３０】
第10項．少なくとも1つのテーパ面は、平面である、第5項から第9項のいずれか一項に記載の圧力ジャケット。
【００３１】
第11項．圧力ジャケットの少なくとも一部に少なくとも1つの符号化装置をさらに含む、第1項から第10項のいずれか一項に記載の圧力ジャケット。
【００３２】
第12項．少なくとも1つの符号化装置は、少なくとも1つの係合部材のうちの少なくとも1つの上にある、第11項に記載の圧力ジャケット。
【００３３】
第13項．少なくとも1つの係合部材は、側壁の終端部分とモノリシックに形成されている、第1項から第12項のいずれか一項に記載の圧力ジャケット。
【００３４】
第14項．少なくとも1つの係合部材は、側壁の終端部分から分離可能である、第1項から第13項のいずれか一項に記載の圧力ジャケット。
【００３５】
第15項．流体インジェクタのロック機構と係合するための少なくとも1つの係合部材の遠位側で、側壁の外面から長手方向軸に対して半径方向外側に突出して、圧力ジャケットを流体インジェクタの圧力ジャケットポートに解放可能にロックするフランジをさらに含む、第1項から第14項のいずれか一項に記載の圧力ジャケット。
【００３６】
第16項．フランジは、側壁の外面の少なくとも一部の周りに延在する、第15項に記載の圧力ジャケット。
【００３７】
第17項．フランジは、圧力ジャケットをロック機構へ長手方向に挿入する長さを制限するための長手方向停止面を有する、第15項または第16項に記載の圧力ジャケット。
【００３８】
第18項．少なくとも1つの係合部材は、円形、三角形、または多角形の形状を有する、第1項から第17項のいずれか一項に記載の圧力ジャケット。
【００３９】
第19項．バレル内に摺動可能に配置され、近位端と遠位端との間で移動可能なプランジャをさらに含む、第1項から第18項のいずれか一項に記載の圧力ジャケット。
【００４０】
第20項．遠位端と、近位端と、長手方向軸に沿って遠位端と近位端との間で実質的に円周方向に延在する側壁と、を有するバレルを含む少なくとも1つの圧力ジャケットであって、バレルは、側壁の終端部分から長手方向軸に沿って近位方向に突出し、遠位端から近位端に向かう方向に軸方向にテーパが付けられた少なくとも1つの係合部材と、を含む、少なくとも1つの圧力ジャケットと、
少なくとも1つの圧力ジャケットを受け入れるための少なくとも1つの圧力ジャケットポートを画定するインジェクタハウジングを含むインジェクタと、
少なくとも1つの圧力ジャケットポート内に少なくとも1つの圧力ジャケットを固定するための少なくとも1つの圧力ジャケットポートに関連するロック機構であって、少なくとも1つの圧力ジャケットポート内に少なくとも1つの圧力ジャケットを解放可能に配置するように、圧力ジャケットの少なくとも1つの係合部材と係合するように構成されたロック機構と、
を含み、
少なくとも1つの係合部材のテーパは、圧力ジャケットを回転的に案内してロック機構と整列させ、圧力ジャケットの回転時に圧力ジャケットを軸方向に排出するように構成される、流体注入装置。
【００４１】
第21項．ロック機構は、少なくとも1つの圧力ジャケットの近位端を受け入れるように構成された中央開口部を有するハウジングと、
ガイドリングの中心軸がハウジングの中心軸と同軸に整列するようにハウジングに対して固定され、ガイドリングの内周からガイドリングの外周まで延在する少なくとも1つの凹部を有するガイドリングと、
ガイドリングの少なくとも1つの凹部内に移動可能に受容されるように構成された少なくとも1つの偏向可能な保持要素と、
少なくとも1つの圧力ジャケットが少なくとも1つの圧力ジャケットポートに挿入された場合に、少なくとも1つの係合部材と係合するように構成されたロック／リリースリングであって、少なくとも1つの圧力ジャケットの長手方向軸の周りの回転により、ハウジングに対して回転可能であるロック／リリースリングと、
を含む、第20項に記載の流体注入装置。
【００４２】
第22項．少なくとも1つの偏向可能な保持要素の少なくとも一部に一端で接続され、少なくとも1つの偏向可能な保持要素を半径方向内向きに圧接する少なくとも1つの弾力的な弾性部材をさらに含む、第21項に記載の流体注入装置。
【００４３】
第23項．少なくとも1つの偏向可能な保持要素は、長手方向軸に対して傾斜しているロックリップを含み、少なくとも1つの圧力ジャケットの近位方向への移動が、少なくとも1つの偏向可能な保持要素の半径方向外向きの移動を引き起こす、第21項または第22項に記載の流体注入装置。
【００４４】
第24項．ロック／リリースリングは、少なくとも1つの係合部材を受け入れるための相補的形状を有する1つまたは複数の圧力ジャケット係合部材を含む、第21項から第23項のいずれか一項に記載の流体注入装置。
【００４５】
第25項．ロック／リリースリングは、少なくとも1つの偏向可能な保持要素の動きを案内するために、上面に配置された少なくとも1つのガイドスロットを含む、第21項から第24項のいずれか一項に記載の流体注入装置。
【００４６】
第26項．少なくとも1つのガイドスロットは、少なくとも1つのガイドトラックを含む、第25項に記載の流体注入装置。
【００４７】
第27項．少なくとも1つの偏向可能な保持要素が第1の半径方向位置にある場合には、少なくとも1つの偏向可能な保持要素は、第1の端部で少なくとも1つのガイドトラックに係合し、少なくとも1つの偏向可能な保持要素が、第1の半径方向位置とは異なる第2の半径方向位置にある場合には、少なくとも1つの偏向可能な保持要素は、第2の端部で少なくとも1つのガイドトラックに係合する、第26項に記載の流体注入装置。
【００４８】
第28項．少なくとも1つの凹部の側縁部は、少なくとも1つの偏向可能な保持要素の移動を案内するための移動経路を画定する、第21項から第27項のいずれか一項に記載の流体注入装置。
【００４９】
第29項．少なくとも1つの圧力ジャケットが少なくとも1つの圧力ジャケットポートに挿入される場合に、ガイドリングの上面の少なくとも一部は、少なくとも1つの圧力ジャケットの近位方向への移動を制限する停止面を画定する、第21項から第28項のいずれか一項に記載の流体注入装置。
【００５０】
第30項．遠位端と、近位端と、長手方向軸に沿って遠位端と近位端との間で実質的に円周方向に延在する側壁と、を有するバレルと、
側壁の終端部分から長手方向軸に沿って近位方向に突出し、遠位端から近位端に向かう方向に軸方向にテーパが付けられた少なくとも1つの係合部材と、
少なくとも1つの係合部材の遠位側で、長手方向軸に対して側壁の外面から半径方向外側に突出するフランジと、
を含み、
少なくとも1つの係合部材は、流体インジェクタの流体ポートに圧力ジャケットを解放可能に配置するように、流体インジェクタのロック機構と係合するように構成され、少なくとも1つの係合部材のテーパは、圧力ジャケットを回転的に案内してロック機構と整列させ、圧力ジャケットの回転時に圧力ジャケットを軸方向に排出するように構成される、
圧力ジャケット。
【００５１】
シリンジ、圧力ジャケット、ならびに流体注入装置のシリンジおよび／または圧力ジャケット接続インターフェースのこれらのおよび他の特徴および特性、ならびに構造の関連要素の動作および機能の方法および部品の組み合わせおよび製造の経済性が、添付の図面を参照して以下の説明および添付の特許請求の範囲を考慮することにより、より明らかになるであろう。これらの図面は全て、本明細書の一部を形成し、同様の符号は様々な図面における対応する部分を示す。しかしながら、図面は、例示および説明の目的のためにすぎないことが明確に理解されるべきである。本明細書および特許請求の範囲で使用されるように、単数形（「a」、「an」および「the」）は、文脈上特に明示されない限り、複数の指示対象を含む。
【図面の簡単な説明】
【００５２】
【図１Ａ】本開示の一態様による流体インジェクタおよびシリンジを含むシステムの概略図である。
【図１Ｂ】本開示の一態様によるシリンジの斜視図である。
【図２Ａ】一態様によるシリンジを流体インジェクタに固定するための接続インターフェースの分解斜視図である。
【図２Ｂ】図2Aに示す接続インターフェースの断面組立図である。
【図３Ａ】様々な他の態様による、シリンジを流体インジェクタに案内／から排出するための係合部材の円筒形平面投影図である。
【図３Ｂ】様々な他の態様による、シリンジを流体インジェクタに案内／から排出するための係合部材の円筒形平面投影図である。
【図３Ｃ】様々な他の態様による、シリンジを流体インジェクタに案内／から排出するための係合部材の円筒形平面投影図である。
【図３Ｄ】様々な他の態様による、シリンジを流体インジェクタに案内／から排出するための係合部材の円筒形平面投影図である。
【図４Ａ】シリンジ上の係合部材の態様を示す図である。
【図４Ｂ】シリンジ上の係合部材の態様を示す図である。
【図４Ｃ】シリンジ上の係合部材の態様を示す図である。
【図４Ｄ】シリンジ上の係合部材の態様を示す図である。
【図４Ｅ】シリンジ上の係合部材の態様を示す図である。
【図４Ｆ】シリンジ上の係合部材の態様を示す図である。
【図４Ｇ】シリンジ上の係合部材の態様を示す図である。
【図４Ｈ】シリンジ上の係合部材の態様を示す図である。
【図４Ｉ】シリンジ上の係合部材の態様を示す図である。
【図４Ｊ】シリンジ上の係合部材の態様を示す図である。
【図４Ｋ】シリンジ上の係合部材の態様を示す図である。
【図４Ｌ】シリンジ上の係合部材の態様を示す図である。
【図４Ｍ】シリンジ上の係合部材の態様を示す図である。
【図４Ｎ】シリンジ上の係合部材の態様を示す図である。
【図４Ｏ】シリンジ上の係合部材の態様を示す図である。
【図４Ｐ】シリンジ上の係合部材の態様を示す図である。
【図４Ｑ】シリンジ上の係合部材の態様を示す図である。
【図５Ａ】流体インジェクタへシリンジを挿入する際の接続インターフェース上の力の概略図である。
【図５Ｂ】異なる摩擦係数μを有する材料に対する、接続インターフェースにおけるテーパ面の角度の関数としてのシリンジ挿入力のグラフである。
【図６Ａ】シリンジ上の係合部材の様々なプロファイルのグラフィカルオーバーレイである。
【図６Ｂ】シリンジの円周の周りの正弦波状係合部材の長手方向軸に対する角度方向のグラフである。
【図７Ａ】流体インジェクタからシリンジを排出させる際の接続インターフェース上の力の概略図である。
【図７Ｂ】シリンジとロック機構との間の摩擦係数の関数としてのシリンジ排出のための滑り角のグラフである。
【図７Ｃ】接続インターフェースにおけるテーパ面の角度の関数としての、ロック機構の復元力に対する排出中のシリンジ上の回転力の比のグラフである。
【図８Ａ】本開示のシリンジをインジェクタに接続するように構成されたカップリングの側面断面図である。
【図８Ｂ】本開示のインジェクタにシリンジを接続するように構成されたアダプタの斜視図である。
【図９Ａ】図8に示すアダプタの接続部分の別の態様の斜視図である。
【図９Ｂ】図8に示すアダプタの接続部分の別の態様の斜視図である。
【図１０Ａ】本開示の一態様によるシリンジプランジャの斜視図である。
【図１０Ｂ】一態様による、流体インジェクタのピストンにシリンジプランジャを固定するための接続インターフェースの分解斜視図である。
【図１０Ｃ】シリンジプランジャが流体インジェクタのピストンに接続されている場合の、図10Bに示す接続インターフェースの断面図である。
【図１１Ａ】本開示の一態様による圧力ジャケットの斜視図である。
【図１１Ｂ】一態様による図11Aの圧力ジャケットを流体インジェクタに固定するための接続インターフェースの分解斜視図である。
【図１２Ａ】圧力ジャケット用キャップの斜視図である。
【図１２Ｂ】キャップおよび圧力ジャケットの側面断面図である。
【図１３】シリンジに接続されたキャップの斜視図である。
【発明を実施するための形態】
【００５３】
以下の説明の目的のために、「上」、「下」、「右」、「左」、「垂直」、「水平」、「上部」、「底部」、「横方向」、「縦方向」という用語、およびその派生語は、図面に示されているように、本開示に関係するものとする。シリンジに関して使用される場合、「近位」という用語は、シリンジがインジェクタに接続するように配向されている場合に、インジェクタに最も近いシリンジの部分を指す。「遠位」という用語は、シリンジがインジェクタに接続するように配向されている場合に、インジェクタから最も離れたシリンジの部分を指す。「半径方向」という用語は、近位端と遠位端との間に延在するシリンジの長手方向軸に垂直な断面内の方向を指す。「円周方向」という用語は、シリンジの側壁の内面または外面の周りの方向を指す。「軸方向」という用語は、近位端と遠位端との間に延在するシリンジの長手方向軸に沿った方向を指す。「自己配向」という用語は、技術者による努力なしに挿入中にシリンジがそれ自体でシリンジポート内で正しい方向に向くことを意味する。「軸方向のテーパ」、「軸方向のテーパ付け」および「軸方向にテーパ付けする」という用語は、シリンジの遠位端から近位端に向かう方向において、円筒形平面投影図におけるシリンジ上の少なくとも1つの仮想または実表面の傾斜角を意味する。添付の図面に示され、以下の明細書に記載される特定の装置およびプロセスは、本開示の単なる例示的な態様であることも理解するべきである。したがって、本明細書に開示される態様（すなわち、態様、変形形態、変形形態など）に関連する特定の寸法および他の物理的特性は、限定的であるとみなすべきではない。
【００５４】
図面を参照すると、いくつかの図面全体を通して同様の符号は同様の部品を示しており、本開示は、一般に、少なくとも1つのシリンジと流体インジェクタとの間の接続インターフェースに関する。
【００５５】
図1Aを参照すると、自動または動力式流体インジェクタなどの流体インジェクタ10（以下では「インジェクタ10」と呼ぶ）が示されており、これは1つまたは複数のシリンジ12とインターフェースするように構成され、造影剤、生理食塩水、または任意の所望の医用流体などの医用流体Fで満たされてもよい。インジェクタ10は、医療手順の間に使用されて、シリンジ12のプランジャ26をピストン要素で駆動することによって患者の体内に医用流体を注入することができる。インジェクタ10は、マルチシリンジインジェクタであってもよく、いくつかのシリンジ12は、並列または他の関係で配向されてもよく、インジェクタ10に関連するそれぞれのリニアアクチュエータまたはピストン要素上のプランジャ26によって別々に作動されてもよい。インジェクタ10は、少なくとも1つのシリンジ12から1つまたは複数の流体を独立して送達するように構成されてもよい。
【００５６】
インジェクタ10は、プラスチックまたは金属などの適切な構造材料から形成されたハウジング14内に封入することができる。ハウジング14は、所望の用途に応じて様々な形状および大きさであってもよい。たとえば、インジェクタ10は、床に置くように構成された自立構造であってもよく、または適切なテーブルまたは支持フレーム上に配置するためのより小さい設計であってもよい。インジェクタ10は、少なくとも1つのシリンジ12をそれぞれのピストン要素に接続するための少なくとも1つのシリンジポート16を含む。以下に説明するように、いくつかの態様では、シリンジ12は、インジェクタ10のシリンジポート16内にシリンジ12を解放可能に自己配向させるように構成された少なくとも1つの係合部材を含む。少なくとも1つの係合部材は、インジェクタ10のシリンジポート16に設けられたロック機構と動作可能に係合するように構成され、インジェクタ10へのシリンジ12の装填またはそれからの取り出しを容易にし、本明細書で説明するように、シリンジポート16からシリンジ12を排出させることを含む。少なくとも1つの係合部材およびロック機構は、少なくとも1つのシリンジ12をインジェクタ10に可逆的に接続するための接続インターフェースを共に画定する。
【００５７】
流体経路セット17は、医用流体Fを少なくとも1つのシリンジ12からカテーテル（図示せず）、針、または患者の血管アクセス部位に挿入された他の流体送達接続部に送達するために、少なくとも1つのシリンジ12のうちの少なくとも1つに流体接続することができる。少なくとも1つのシリンジ12からの流体の流れは、流体制御モジュール（図示せず）によって調整することができる。流体制御モジュールは、注入流量、持続時間、総注入量、造影剤と生理食塩水との比などのユーザが選択した注入パラメータに基づいて、患者に対する生理食塩水および造影剤などの医用流体の送達を調整するために、様々なピストン、バルブ、および流量調整構造を動作する。少なくとも1つのシリンジ、ならびに本明細書に記載された流体インジェクタを有する少なくとも1つのシリンジの自己配向装填および解放可能な保持のための少なくとも1つのシリンジインターフェースとともに使用するために改変され得る適切なフロントローディング流体インジェクタは、Reillyらの米国特許第5，383，858号に開示されており、これはその全体が参照により組み込まれる。そのように改変することができる他の関連する多流体送達システムは、Lazzaroらの米国特許第7，553，294号、Cowanらの米国特許第7，666，169号、国際特許出願第PCT／US2012／037491号（国際公開第2012／155035号として公開）、およびRileyらの米国特許出願公開第2014／0027009号に開示されており、これらの全ては、本出願の譲受人に譲渡されており、その開示は参照により本明細書に組み込まれる。
【００５８】
インジェクタ10の一般的な構造および機能を説明したので、少なくとも1つのシリンジ12の構造について、ここでより詳細に説明する。図1Bを参照すると、シリンジ12は、一般に、ガラス、金属、または適切な医用グレードのプラスチックから形成された実質的に円筒形のシリンジバレル18を有する。バレル18は、近位端20および遠位端24を有し、それらの間には、バレル18の中心を通って延在する長手方向軸15の長さに沿って、実質的に円周方向の側壁19が延在する。バレル18は、透明または半透明の材料で作られ、シリンジバレル18（図1Aに示す）内の流体Fの存在を確認するための少なくとも1つの流体確認部材11を含むことができる。流体経路17に接続するためのノズル22が、バレル18の遠位端24から延在する。バレル18は、内部に医用流体を受けるように構成された内部容積25を画定する外面21および内面23を有する。バレル18の近位端20は、バレル18を通って摺動可能なプランジャ26で封止されてもよい。プランジャ26は、バレル18の側壁19の内面に対して、可逆的に前進しながら液密封止を形成する。プランジャ26は、インジェクタ10のピストンと係合するように構成された剛性内側要素28を有することができる。プランジャ26は、剛性内側要素28の少なくとも一部の上に配置されたエラストマーカバー29をさらに含むことができる。エラストマーカバー29は、バレル18の内面23と係合し、バレル18の側壁19に対して可逆的に前進しながら液密封止を提供するように構成される。
【００５９】
引き続き図1Bを参照すると、シリンジ12の近位端20は、インジェクタ10（図1Aに示す）の少なくとも1つのシリンジポート16内に挿入されるように寸法決めされ適合される。いくつかの態様では、シリンジ12の近位端20は、インジェクタ10のシリンジポート16に取り外し可能に挿入されるように構成された挿入部分30を画定し、シリンジ12の残りの部分はシリンジポート16の外側に留まる。以下で詳細に説明するように、特定の態様では、シリンジ12の近位端20は、シリンジポート16内のシリンジ12を解放可能に保持するために、インジェクタ10のシリンジポート16内の対応するロック機構とロック係合を形成するように構成された少なくとも1つの係合部材32を含む。保持フランジ41を備えた1つまたは複数の係合部材32を有するシリンジ12と、インジェクタ10のロック機構35（図2Bに示す）との組み合わせは、シリンジ12をインジェクタ10に出し入れするための接続インターフェースを画定する。
【００６０】
特定の態様によれば、ドリップフランジ36は、長手方向軸15に対してシリンジバレル18の外面21から半径方向外側に延在することができる。ドリップフランジ36は、バレル18の外周の少なくとも一部の周りに延在することができる。一態様では、ドリップフランジ36は、1つまたは複数の係合部材32に対して長手方向軸15に沿って遠位に配置され、保持フランジ41の遠位に配置される。ドリップフランジ36は、ノズル22から滴下する流体がインジェクタ10のシリンジポート16に入るのを防止するように構成することができる。このようにして、ドリップフランジ36は、シリンジポート16に入って、接続インターフェース100を詰まらせまたはそれと干渉するか、またはインジェクタ10の機構または電子機器を汚すおそれのある流体の量を減少させることを助ける。いくつかの態様では、ドリップフランジ36は、シリンジ12の挿入部分30がシリンジポート16および／またはインジェクタ10のロック機構にどの程度まで挿入され得るかを制限する挿入停止面を画定することができる。ドリップフランジ36は、バレル18と一体に形成されてもよく、あるいは、たとえば、摩擦嵌合および／または接着剤、溶接、もしくはモールディングを使用して、バレル18の外面21に固定または固着されてもよい。他の態様では、ドリップフランジ36は、エッチング、レーザ切断、または機械加工によって、バレル18の外面21に形成されてもよい。
【００６１】
他の態様では、挿入停止面は、もし存在するならば、ドリップフランジ36に対してバレル18の近位端20の近くに配置された保持フランジ41によって画定されてもよい。保持フランジ41は、長手方向軸15に対してシリンジバレル18の外面21から半径方向外側に延在することができる。保持フランジ41は、バレル18の外周の少なくとも一部の周りに延在してもよく、単一の連続フランジまたは1つまたは複数の不連続もしくは断続的なセグメントであってもよい。一態様では、保持フランジ41は、係合部材32に対して長手方向軸15に沿って遠位に配置される。保持フランジ41は、バレル18と一体に形成されてもよく、あるいは、たとえば、摩擦嵌合および／または接着剤、溶接、もしくはモールディングを使用して、バレル18の外面21に固定または固着されてもよい。他の態様では、保持フランジ41は、エッチング、レーザ切断、または機械加工によって、バレル18の外面21に形成されてもよい。保持フランジ41は、1つまたは複数の係合部材32から遠位方向にバレル18の長さに沿ってどこにあってもよい。いくつかの態様では、保持フランジ41は、1つまたは複数の係合部材32上に直接または隣接して形成されてもよい。保持フランジ41は、バレル18の内径を一定に保ちながら側壁19の厚さを増加させることによって、あるいはバレル18の内径を大きくし、側壁19の厚さを維持、減少または増加させることによっても形成することができる。この例示的な態様では、保持フランジ41の遠位表面は、シリンジポート16の1つまたは複数の保持要素78上の1つまたは複数の保持面78R（図2Bに示す）とインターフェースする保持面41R（図2Aに示す）を形成する。保持フランジ41の少なくとも一部、たとえば保持フランジ41の近位面は、長手方向軸15に向かってまたは遠ざかるように半径方向にテーパを付けられ、または面取りされてもよい。
【００６２】
図2A〜図2Bを特に参照すると、インジェクタ10（図1に示す）の少なくとも1つのシリンジポート16から少なくとも1つのシリンジ12を装填し、取り外し／排出するための接続インターフェース100が一態様に従って示されている。シリンジ12およびインジェクタ10は、シリンジ12に設けられた少なくとも1つの係合部材32およびインジェクタ10のシリンジポート16（図1に示す）に設けられた対応するロック機構35を有する接続インターフェース100を含む。一態様では、少なくとも1つの係合部材32は、シリンジバレル18の近位端20に設けられる。たとえば、少なくとも1つの係合部材32は、シリンジバレル18の終端部27から近位方向に軸方向に突出してもよい。少なくとも1つの係合部材32は、バレル18と一体にかつモノリシックに形成されてもよく、あるいは、たとえば摩擦嵌合および／または接着剤を用いて、または溶接によってバレル18の終端部27に固定または固着されてもよい。他の態様では、少なくとも1つの係合部材32は、エッチング、レーザ切断、機械加工、またはモールディングによってバレル18の終端部27に形成されてもよい。いくつかの態様では、1つまたは複数の係合部材32は、ロック機構の少なくとも一部と協働して、シリンジ12をシリンジポート16に対して自己配向させ、シリンジ12をシリンジポート16および／またはロック機構35に配向させるためのシリンジの物理的整列、あるいはユーザまたは技術者による他の努力なしに、シリンジ12をシリンジポート16に解放可能にロックすることができる。
【００６３】
図2A〜図2Bに示す態様では、少なくとも1つの係合部材32は、図1Bおよび図2A〜図2Bに破線で示すシリンジバレル18の終端部27から近位方向に軸方向に突出した1つまたは複数の突起として形成される。少なくとも1つの係合部材32は、バレル18の外面21および内面23（図1Bに示す）と実質的に連続するように、シリンジバレル18の側壁19と同じ半径方向の厚さを有してもよい。他の態様では、少なくとも1つの係合部材32は、バレル18の外面21に対して半径方向外向きまたは半径方向内向きに突出してもよい。さらに、または代替的に、少なくとも1つの係合部材32は、バレル18の内面23に対して半径方向外向きまたは半径方向内向きに突出してもよい。他の態様では、少なくとも1つの係合部材32は、たとえば、内面23および外面21の終端部が少なくとも1つの係合部材32の近位端と実質的に均一であるように、側壁19の内部に配置されてもよい。特定の態様では、複数の係合部材32は、本明細書で詳述するように、バレル18の円周の周りに波形または正弦波形状で配置されてもよい。3つ以上の係合部材32が設けられる態様では、係合部材32は、バレル18の外周の周りに均等に離間して配置されてもよい。たとえば、6つの係合部材32を有する態様では、各係合部材32は、隣接する係合部材32から60度離れて分離される。x個の係合部材32を有する他の態様では、各係合部材32は、隣接する係合部材32から360／x度だけ分離しており、xは1〜360の整数である。他の態様では、少なくとも1つの係合部材32は、バレル18の外周の周りに等しくない角度間隔を有することができる。たとえば、1つまたは複数の係合部材32は、角度A（図1Bに示す）を定めることができ、それはバレル18の円周の60度を超えるかまたは60度未満であってもよい。少なくとも1つの係合部材32が等しくない角度間隔を有するいくつかの態様では、様々な係合部材32の間隔および配置を使用して、シリンジおよび／またはシリンジ内容に関する情報、たとえば製造業者、ロット番号、製造年月日、容量、圧力最小／最大、様々な医用流体との適合性などを符号化することができる。いくつかの態様では、係合部材32の各々は、シリンジバレル18の終端部27から近位方向に等距離に突出してもよい。他の態様では、1つまたは複数の係合部材32は、残りの係合部材32よりも長くても短くてもよい。各係合部材32は、実質的に剛性であり、シリンジ12をシリンジポート16に挿入したり、シリンジポート16から取り外したりする間に、半径方向または円周方向に偏向することがない。各係合部材32は、連続し、かつ中断されなくてもよく、または係合部材32を共に画定する複数の別個の要素から構成されてもよい。
【００６４】
図1Bを再び参照すると、係合部材32の各々は、係合部材32の近位端37から長手方向軸15に沿ってシリンジ12の終端部27に向かって遠位方向に延在する一対のテーパ面39A〜39Bを備えた実質的に尖った近位端37を有してもよい。近位端37は、鋭いまたは丸い先端を有してもよい。テーパ面39A〜39Bの少なくとも1つは、長手方向軸15の方向に対して角度B（図1Bに示す）で軸方向および／または円周方向に傾斜してもよい。長手方向軸15に対する少なくとも1つのテーパ面39A〜39Bの軸方向／円周方向のテーパは、シリンジバレル18の遠位端24から近位端20に向かう方向において、円筒形平面投影図におけるテーパ面39A〜39Bの少なくとも1つの傾斜角として画定されてもよい。テーパ面39A〜39Bは、長手方向軸15に対して同じまたは異なる角度で傾斜してもよい。いくつかの態様では、テーパ面39A〜39Bは、直線状、湾曲状、またはそれらの組み合わせであってもよい。他の態様では、テーパ面39A〜39Bのうちの1つのプロファイルは、テーパ面39A〜39Bのうちの他のものと同じであっても異なっていてもよい。たとえば、テーパ面39A〜39Bのうちの一方は、長手方向軸15の方向に対して傾斜してもよく、テーパ面39A〜39Bの他方は、長手方向軸15の方向と平行であってもよい。少なくとも2つの係合部材32が互いに隣接して配置される態様では、一方の係合部材32のテーパ面39Aは、各隣接する係合部材32のテーパ面39Bに移行してもよい。
【００６５】
図2A〜図2Bは、少なくとも1つの係合部材32の1つの非限定的な態様を示しているが、様々な他の形状も考えられる（たとえば、他の非限定的な態様については図4A〜図4Qを参照されたい）。たとえば、少なくとも1つの係合部材32は、ほぼ円形、三角形、正方形、長方形、または他の多角形を有してもよい。各態様では、保持フランジ41と組み合わせた少なくとも1つの係合部材32は、本明細書で説明するように、シリンジ12をシリンジポート16に解放可能に保持するために、インジェクタ10のシリンジポート16内の対応するロック機構35と自己配向ロック係合を形成するように構成される。係合部材32の各態様に関して、使用される係合部材32の数は、本開示の範囲内に留まりながら変更されてもよいと考えられる。たとえば、図1Bに示すシリンジ12では、1つの係合部材32のみがシリンジ12の終端部27に設けられることが企図されている。単一の係合部材32を使用することができるが、シリンジ12の態様は、少なくとも2つの係合部材32を有してもよい。偶数の係合部材32を有するいくつかの態様では、係合部材32は互いに正反対に位置してもよい。他の態様では、係合部材32は、互いに隣接して設けられる。係合部材32は、適切な大きさとすることができ、任意選択的には、異なる円周方向寸法であってもよい。少なくとも1つの係合部材32の適切な形状の様々な非限定的な態様について、図4A〜図4Qを参照して本明細書で説明される。
【００６６】
図2A〜図2Bを引き続き参照すると、インジェクタ10のシリンジポート16は、少なくとも1つの係合部材32とシリンジ12の保持フランジ41とを動作可能に係合するように構成されたロック機構35を有する。ロック機構35は、シリンジ12の近位端20を受け入れるように構成された中央開口部71を有するハウジング70を含む。ハウジング70は、インジェクタ10のハウジング14の一部として形成されてもよく（図1Aに示す）、あるいは、ハウジング14に取り付けられて、既存のインジェクタを現在説明されているロック機構35を含むように変換してもよい。ガイドリング48がハウジング70に対して回転したり、長手方向に移動したりすることがないように、ハウジング70に対してガイドリング48を固定することができる。一態様では、ガイドリング48は、本体72の外周から半径方向外側に延在する1つまたは複数のタブ74（図2Aに示す）を有する本体72を有する。ガイドリング48の本体72は、連続的な環状形状を有してもよく、または2つ以上の別個のセグメントから形成されてもよい。ハウジング70内に設置される場合に、1つまたは複数のタブ74は、ハウジング70の内側側壁73上の対応する1つまたは複数の溝76（図2Aに示される）と係合し、ガイドリング48の回転／長手方向移動を防止する。他の態様では、ガイドリング48は、クリップ、ファスナ、またはスナップフィット構成などの他の機械的な固定構成によってハウジング70に固定されてもよい。さらなる態様では、ガイドリング48は、ハウジング70と溶接、接着、またはモールドされてもよい。ガイドリング48の中心軸は、ハウジング70に設置される場合に、ハウジング70の中心軸と同軸である。
【００６７】
図2Aを参照すると、ガイドリング48は、対応する1つまたは複数の偏向可能な保持要素78を摺動可能に受け入れるように構成された1つまたは複数の第1の凹部60を有する。1つまたは複数の第1の凹部60は、ガイドリング48の本体72の周りに均等に離間して配置されてもよい。1つの態様では、1つまたは複数の第1の凹部60は、ガイドリング48の内周からその外周に延在する。たとえば、ガイドリング48が4つの第1の凹部60を有する態様では、各第1の凹部60は、両側に隣接する第1の凹部60から90度離れて分離されてもよい。他の態様では、1つまたは複数の第1の凹部60は、ガイドリング48の本体72の周りに不均等に離間して配置されてもよい。ガイドリング48上の第1の凹部60の数は、偏向可能な保持要素78の数に対応してもよい。第1の凹部60は、偏向可能な保持要素78の移動を案内するために、偏向可能な保持要素78の底面のピンまたは溝とそれぞれインターフェースするように、底面に溝またはピンを含むことができる。各第1の凹部60の側縁部は、シリンジ12の挿入部分30がガイドリング48の内外に挿入されると、偏向可能な保持要素78の移動を半径方向に案内するための半径方向移動経路を画定する。ガイドリング48の上面の少なくとも一部は、シリンジ12がロック機構35内に挿入される場合に、シリンジ12の近位方向への移動を制限する停止面59を画定することができる。一態様では、シリンジ12の保持フランジ41が停止面59と係合して、シリンジ12の近位方向への移動を制限する。
【００６８】
引き続き図2Aを参照すると、ロック機構35は、ガイドリング48に対して半径方向に摺動するように構成された1つまたは複数の偏向可能な保持要素78をさらに含む。さらに詳述するように、1つまたは複数の偏向可能な保持要素78の各々は、両方とも互いに固定されたガイドリング48およびハウジング70に対して半径方向に摺動可能である。バネなどの少なくとも1つの第1の弾力的な弾性部材102（図2Aに示す）は、一端で1つまたは複数の偏向可能な保持要素78の少なくとも一部に接続され、他端でハウジング70の少なくとも一部に接続される。少なくとも1つの第1の弾力的な弾性部材102は、1つまたは複数の偏向可能な保持要素78を第1の位置（図2B参照）に圧接し、少なくとも1つの偏向可能な保持要素78のロックリップ80が、ガイドリング48の停止面59の上に配置されて、保持ギャップ81（図2Bを参照）を画定する。一態様では、シリンジ12をシリンジポート16に挿入することによって、シリンジ12の保持フランジ41が少なくとも1つの偏向可能な保持要素78のロックリップ80に係合して、偏向可能な保持要素78を半径方向外側に偏向させ、シリンジ12がロック機構35に挿入されることを可能にする。ロックリップ80は、シリンジ12の近位方向への移動が、少なくとも1つの偏向可能な保持要素78をシリンジ12に対して半径方向外側に圧接する半径方向の成分を有する力をもたらすように、長手方向軸15に対して半径方向に傾斜してもよい。代替的には、保持フランジ41の近位表面は、シリンジ12の近位方向への移動が、少なくとも1つの偏向可能な保持要素78をシリンジ12に対して半径方向外側に圧接する半径方向の成分を有する力をもたらすように、長手方向軸15に対して半径方向に傾斜または面取りされてもよい。シリンジ12の保持フランジ41がロックリップ80を取り除いた後に、少なくとも1つの偏向可能な保持要素78は、少なくとも1つの第1の弾力的な弾性部材102の圧接下で初期の第1の位置に復帰する。シリンジ12をロック機構35から解放するために、シリンジ12の1つまたは複数の係合部材32がロック／リリースリング84に係合し、回転すると、1つまたは複数の偏向可能な保持要素78を第2のまたは開放位置に移動させ、本明細書で説明するように、シリンジ12をロック機構35から排出させることができる。
【００６９】
引き続き図2Aを参照すると、ロック機構35は、ほぼ環状のロック／リリースリング84をさらに含むことができる。ロック／リリースリング84は、少なくとも1つの係合部材32のうちの1つまたは複数と係合し、シリンジポート16内のシリンジ12の選択的な位置決めを制御して、1つまたは複数の偏向可能な保持要素78をシリンジ12の保持フランジ41に選択的にロック係合することを可能にするように構成される。ロック／リリースリング84は、少なくとも1つの係合部材32を少なくとも1つのシリンジ係合部材83と係合することによって、シリンジ12が長手方向軸15の周りで回転することにより、ハウジング70に対して回転可能である。
【００７０】
特定の態様では、ロック／リリースリング84は、ロック／リリースリング84の内周の周りに延在する1つまたは複数のシリンジ係合部材83を有する。1つまたは複数のシリンジ係合部材83は、シリンジ12上の少なくとも1つの係合部材32のうちの1つまたは複数に対して相補的形状を有する。一態様では、1つまたは複数のシリンジ係合部材83は、シリンジ12の終端部27における少なくとも1つの係合部材32の形状に対応するように成形される。たとえば、様々な態様では、1つまたは複数のシリンジ係合部材83は、波形または正弦波形状を有してもよい。1つまたは複数のシリンジ係合部材83は、相互作用面85A、85Bを有し、シリンジ12がシリンジポート16に挿入されたり、シリンジポート16から引き抜かれる際に、テーパ面39A〜39Bが相互作用面85A、85Bに沿ってスライドすることができる。相互作用面85A、85Bは、シリンジ12に面する遠位方向に尖ったまたは丸い先端までテーパが付けられている。相互作用面85A、85Bの少なくとも1つは、長手方向軸15の方向に対して軸方向に傾斜してもよい。少なくとも1つの相互作用面85A、85Bの長手方向軸15に対する軸方向のテーパは、シリンジ12がシリンジポート16内に挿入された場合に、シリンジ12の近位端20に向かう方向の円筒形平面投影図における相互作用面85A、85Bの傾斜角として画定されてもよい。相互作用面85A、85Bは、長手方向軸15に対して同じまたは異なる角度で傾斜してもよい。いくつかの態様では、相互作用面85A、85Bは、直線状、湾曲状、階段状であるが、実質的に直線状／湾曲した表面、またはそれらの組み合わせを画定することができる。他の態様では、相互作用面85A、85Bの一方のプロファイルは、相互作用面85A、85Bの他方と同じであっても異なっていてもよい。たとえば、相互作用面85A、85Bの一方は、長手方向軸15の方向に対して傾斜してもよく、相互作用面85A、85Bの他方は、長手方向軸15の方向と平行であってもよい。
【００７１】
3つ以上の係合部材32がシリンジ12に設けられる態様では、1つまたは複数のシリンジ係合部材83は、係合部材32の各々がそれぞれのシリンジ係合部材83に係合するように、対応するもしくは相補的形状および角度間隔を有するように成形されてもよい。他の態様では、少なくとも1つの係合部材32は、1つまたは複数のシリンジ係合部材83の数に対して複数の係合部材32を有してもよい。シリンジ12がロック機構35内にロックされるような第1の位置では、各係合部材32は、対応するシリンジ係合部材83と整列される。シリンジ12がロック機構35から取り外されるような第2の位置では、各係合部材32は、対応するシリンジ係合部材83と整列しないように回転移動される。
【００７２】
引き続き図2Aを参照すると、ロック／リリースリング84は、偏向可能な保持要素78の各々の動きを案内するためのガイドスロット86をさらに含む。各ガイドスロット86は、ロック／リリースリング84の上面88の外周に配置されている。各ガイドスロット86は、対応する偏向可能な保持要素78が、シリンジ12がロック機構35内にロックされる第1の位置と、シリンジ12がロック機構35からロック解除される第2の位置と、の間で案内されるガイドトラック90を有する。一態様では、偏向可能な保持要素78の少なくとも一部は、偏向可能な保持要素78の底部から近位方向に突出するピンまたは他の係合部材などによって、ガイドトラック90と係合する。第1の位置では、各偏向可能な保持要素78は、各偏向可能な保持要素78がその最も半径方向内側の位置にあるように、第1の端部92でガイドトラック90に係合する。この位置では、シリンジ12の保持フランジ41は、1つまたは複数の偏向可能な保持要素78のロックリップ80によって保持されるので、シリンジ12をその長手方向軸15に対して回転させることなしに、また解放機構に係合することなしに、シリンジ12をロック機構35から取り外すことができない。シリンジ12がその長手方向軸15の周りで回転すると、ロック／リリースリング84が回転して、各偏向可能な保持要素78がガイドトラック90に沿って半径方向外向きに第2の端部94に向かって案内され、この場合には、各偏向可能な保持要素78は最も半径方向外側の位置にある。この位置では、保持フランジ41が各偏向可能な保持要素78のロックリップ80を取り除くように、シリンジ12を遠位方向に排出または圧接することによって、シリンジ12がロック機構35から取り外される。シリンジ12がロック機構35から解放されると、ロック／リリースリング84は、ハウジング70のベース98に固定され得る第2の弾力的な弾性部材96の復元作用の下で第1の位置に同時に回転される。特定の態様では、第2の弾力的な弾性部材96の復元作用の下でロック／リリースリング84を第1の位置に戻すように回転させることによって、シリンジ12をシリンジポート16から排出または圧接するように横方向の力がシリンジ12に働くことができる。
【００７３】
シリンジ12をシリンジポート16内に挿入するために、シリンジ12の長手方向軸15は、シリンジポート16の長手方向軸にほぼ整列される。最初に、シリンジ12は、シリンジ12をシリンジポート16に対して長手方向軸15の周りに回転的に配向することなく、中央開口部71の上部に挿入することができる。シリンジ12の挿入部分30は、シリンジポート16の開口部71に挿入される。シリンジ保持フランジ41は、少なくとも1つの偏向可能な保持要素78のロックリップ80と接触するように近位方向に圧接され、それを半径方向外側に偏向させて、シリンジ12がハウジング70内に挿入することを可能にする。シリンジポート16に対するシリンジ12の近位への移動が継続すると、1つまたは複数の偏向可能な保持要素78が第1の凹部60内で半径方向外側に第2の位置に偏向され、中央開口部のサイズが増大して、保持フランジ41が通過することが可能になる。シリンジ12がシリンジポート16内で近位方向に前進するので、各係合部材32の1つまたは複数のテーパ面39A、39Bが対応する相互作用面85A、85Bと接触して、シリンジ12を回転的に自己配向させ、シリンジポート16上のシリンジ係合部材83の谷部に、および／または保持フランジ41がガイドリング48上の停止面59に係合するまで、係合部材32のピークが受け入れられる。少なくとも1つの第1の弾力的な弾性部材102の復元作用の下で、1つまたは複数の偏向可能な保持要素78は、第2の位置から第1の位置へ半径方向に圧接され、1つまたは複数の偏向可能な保持要素78のロックリップ80が停止面59とロックリップ80の底面との間の保持フランジ41上に配置され得る。ドリップフランジ36が保持フランジ41として機能する特定の態様では、1つまたは複数の偏向可能な保持要素78を保持フランジ41上に配置して、ドリップフランジ36を停止面59とロックリップ80の底面との間に保持することができる。シリンジ12がシリンジポート16内にロックされていることをユーザに示すために、可聴フィードバックおよび／または触覚フィードバックがこの動作によって提供されてもよい。
【００７４】
シリンジ12をシリンジポート16からロック解除し解放するために、シリンジ12は、たとえば時計回りまたは反時計回りの方向に、その長手方向軸15の周りで回転することができる。シリンジ12の回転により、少なくとも1つの係合部材32が1つまたは複数のシリンジ係合部材83に逆らって移動し、ロック／リリースリング84を回転させて、1つまたは複数の偏向可能な保持要素78を半径方向に第2の位置に移動させ、保持フランジ41をロックリップ80から解放する。シリンジ12の継続的な回転によって、少なくとも1つの係合部材32が1つまたは複数のシリンジ係合部材83に逆らって、したがって軸方向に整列しないようにさらに移動するが、これは、シリンジ係合部材83の相互作用するテーパ面85A〜85Bに沿ったテーパ面39A〜39Bの移動によってシリンジ12に加えられる軸方向の力の成分によるものである。このようにして、1つまたは複数のシリンジ係合部材83の相互作用するテーパ面85A〜85Bに沿ったテーパ面39A〜39Bの移動によって、シリンジ12の終端部27が遠位方向に圧接／排出される。本明細書で説明するように、シリンジ12が回転すると、ロック／リリースリング84もまた回転して、各偏向可能な保持要素78がガイドトラック90に沿って半径方向外向きに第2の端部94に向かって案内され、この場合には、各偏向可能な保持要素78は最も半径方向外側の位置にある。この位置では、テーパ面39A〜39Bと、シリンジ係合部材83の相互作用するテーパ面85A〜85Bとの相互作用によって生じる軸方向の力によって、シリンジバレル18および保持リング41は、1つまたは複数の偏向可能な保持要素78に逆らって遠位に圧接され、1つまたは複数の偏向可能な保持要素78を第1の位置から第2の位置に半径方向外側にさらに圧接する。1つまたは複数の偏向可能な保持要素78のロックリップ80が、ユーザが遠位の力を加えずにシリンジ12の保持フランジ41を取り除く際に、シリンジ12は、シリンジポート16から排出され、圧接され、または飛び出すことができる。軸方向の引っ張りを必要としないなど、ユーザの労力を必要とせずにロック解除およびシリンジ12からの排出または飛び出しのための十分な回転のこの触覚的かつ物理的な確認は、従来技術のシリンジおよびシリンジインジェクタポートに対する著しい改良である。排出されたシリンジ12は、シリンジ12を遠位方向に引き出すことによって、ロック機構35から容易に取り外すことができる。保持リング41がロックリップ80を越えて遠位に移動し、かつ／または少なくとも1つの係合部材32が1つまたは複数のシリンジ係合部材83から外れる場合など、シリンジ12がロック機構35から排出されると、ロック／リリースリング84が第2の弾力的な弾性部材96の復元作用の下で第1の位置に回転され、1つまたは複数の偏向可能な保持要素78が第1の初期位置に戻され、ロック機構35が新しいシリンジ12の挿入について準備ができる。
【００７５】
ロック機構35の動作をさらに説明するために、シリンジポート16内にシリンジ12を保持するために協働するシリンジ12およびシリンジポート16の保持面は、それが係合すると、シリンジ12上の保持フランジ41の1つまたは複数の面およびシリンジポート16上の偏向可能な保持要素78の1つまたは複数の保持面である。シリンジ12は、最初は概ね軸方向に整列され、シリンジポート16の開口部71に挿入される。一旦部分的に挿入されると、シリンジ12およびシリンジポート16の案内面は、シリンジ12およびシリンジポート16を設置のために自己配向させ、または自己配向させるように自動的に回転移動させるように協働し、シリンジ12上の係合部材32の1つまたは複数の表面39A〜39Bならびにシリンジポート16のシリンジ係合部材83の1つまたは複数のテーパ付き案内面85A〜85Bである。シリンジ12の設置のためにシリンジポート16を押し開くために協働するシリンジ12およびシリンジポート16の開口面は、シリンジ12上の保持フランジ41の1つまたは複数の底面ならびにシリンジポート16上のロックリップ80の1つまたは複数のテーパ面である。機械的たるみまたは公差を吸収するために協働するシリンジ12およびシリンジポート16の締め付け面は、外側ハウジングまたはシリンジポート16のシールに押し付け、シリンジポート16のロックリップ80に保持フランジ41を圧接する、シリンジ12のドリップフランジ36上の1つまたは複数の表面を含むことができる。あるいは、シリンジ12を前方に圧接する締め付け力は、弾性部材によって提供され、それはたとえば、ロック／リリースリング84を回転的に圧接して、シリンジ12の係合部材32の1つまたは複数の表面39A〜39Bとシリンジ係合部材83の1つまたは複数のテーパ付き案内面85A〜85Bとの相互作用から遠位の力を生じさせる第2の弾力的な弾性部材96、あるいはロック／リリースリング84を遠位方向に圧接し、十分な長さのシリンジ12と協働する場合に、保持フランジ41をロックリップ80に圧接する第3の弾性部材（図示せず）などである。シリンジ12をシリンジポート16から外すまたは取り除くように協働するシリンジ12とシリンジポート16との分離面は、シリンジ12の係合部材32の表面およびシリンジポート16のシリンジ係合部材83の表面である。シリンジポート16からのシリンジ12の排出を促すために遠位方向の力を生成するように協働するシリンジ12およびシリンジポート16の排出面は、シリンジ12の係合部材32上の1つまたは複数のテーパ面39A、39Bならびにシリンジポート16上のシリンジ係合部材83の1つまたは複数のテーパ付き案内面85A〜85Bである。ルアーコネクタがシリンジ12上にネジ止めされる際に回転を防止するように協働するシリンジ12およびシリンジポート16の回転停止面は、シリンジ12の係合部材32上の1つまたは複数のテーパ面39A、39B、およびシリンジポート16上のシリンジ係合部材83の1つまたは複数のテーパ付き案内面85A〜85B、ならびに、シリンジ12の保持フランジ41の1つまたは複数の表面とシリンジポート16の偏向可能な保持要素78の1つまたは複数の保持面との間の、および／またはドリップフランジ36の底面と外部ハウジングもしくはシリンジポート16のシールとの間の任意の摩擦力である。
【００７６】
図3A〜図3Dは、シリンジ12の近位端20における少なくとも1つの係合部材32と、シリンジ12の近位端20を受け入れるための対応するシリンジポート16のシリンジ係合部材83と、の様々な態様の円筒形平面投影図を示す。図3Aを参照すると、シリンジ12の近位端20における少なくとも1つの係合部材32とロック／リリースリング84のシリンジ係合部材83との間のインターフェースの円筒形平面投影図が、シリンジ12をシリンジポート16に嵌合するための回転的整列配向において示されている。この例示的な態様では、シリンジ12の少なくとも1つの係合部材32およびシリンジポート16の対応するシリンジ係合部材83は、シリンジ12上とロック／リリースリング84上の交互の山および谷を有する、シリンジ12の近位端20のほぼ正弦波状の突起として構成される。シリンジ12の係合部材32は、シリンジ12の終端部27から軸方向に離れて突出している。シリンジ12およびシリンジ係合部材83が最初に整列していない場合には、矢印Aの方向の下方または遠位の力は、シリンジ12のテーパ面39A〜39Bとシリンジ係合部材83の対応するテーパ付き案内面85A〜85Bとの摺動相互作用を生じさせる。そのような摺動相互作用は、シリンジ12を回転させ、シリンジ係合部材83上の対応するテーパ付き案内面85A〜85Bと整列するように正しい回転位置に自己配向させ、シリンジポート16へのシリンジ12の正しい向きの設置をもたらす。
【００７７】
図3Bは、シリンジ12の代替的な態様の別の円筒形平面投影図である。この態様では、係合部材32は、シリンジバレル18の側壁19の厚さを部分的に通してのみ延在する。いくつかの態様では、係合部材32は、シリンジバレル18の外面21上に配置されてもよい。係合部材32の近位端37は、シリンジバレル18の終端部27で終端してもよい。他の態様では、近位端37は、たとえば図3Aに示すように、シリンジバレル18の終端部27に対して近位方向に延在してもよい。このようにして、シリンジバレル18をより強く軸方向に整列させるために強くすることができる。さらに、近位端20の内面は、シリンジプランジャ26の取り付けを容易にするために滑らかな連続面として形成することができる。同様に、ロック／リリースリング84は、ロック／リリースリング84の半径方向の厚さの一部のみを通って延在するシリンジ係合部材83を有してもよい。図3Cは、係合部材32がシリンジバレル18の側壁19の厚さの一部のみを通って延在し、シリンジバレル18の内面上に配置されている代替的な態様の別の円筒形平面投影図である。シリンジ係合部材83の対応する相補的配置がロック／リリースリング84上に存在する。この態様では、ロック／リリースリング84の内側の材料は、シリンジバレル18の近位端20を強化し、より高圧の注入での使用を可能にする。いくつかの態様では、係合部材32は、シリンジ12の外面21または内面23からシリンジバレル18の側壁19の少なくとも一部を通って延在することができる。他の態様では、係合部材32は、シリンジバレル18の側壁19内に適切な断面のボイドまたはポケットを形成することによって形成される。ボイドまたはポケットは、ロック／リリースリング84上に存在する相補的なシリンジ係合部材83と相互作用するように構成されてもよい。
【００７８】
図3Dは、本明細書に記載されたシリンジポート16および／またはロック機構35と直接的にインターフェースすることができない代替的なシリンジ12Aとともに使用するためのアダプタ12Bの態様の円筒形平面投影図である。一態様によれば、アダプタ12Bは、代替的なシリンジ12Aの終端部27Aの少なくとも一部に取り外し可能にまたは取り外し不能に取り付けられる、あるいは、シリンジポート16内のロック機構35に挿入されて、ロック機構35を代替的なシリンジ12Aと相互作用するように適合させることができる、たとえばリング、アーク、または他の形状として構成され得る。アダプタ12Bは、本明細書に記載のシリンジ12の少なくとも1つの係合部材32と同様の1つまたは複数の係合部材32Bを有することができる。各係合部材32Bは、シリンジポート16の対応するシリンジ係合部材83と相互作用するように構成することができる。アダプタ12Bの遠位側は、シリンジ12Aの対応する機構または突起と嵌合する機構または突起を有してもよい。たとえば、アダプタ12Bは、シリンジ12Aの対応するロック部材87A内に受容されるように構成されたロック部材87B、またはシリンジ12Aがアダプタ12Bと嵌合し、シリンジポート16および／またはロック機構35内に保持されることを可能にする他のロック機構を有してもよい。
【００７９】
図4A〜図4Qは、シリンジ12上の少なくとも1つの係合部材32の一部の様々な態様およびシリンジポート16内のロック／リリースリング84上のシリンジ係合部材83の対応する態様の円筒形平面投影図の一部を示す。図4A〜図4Qは、シリンジ12および／またはシリンジポート16のロック／リリースリング84の態様での使用に適した係合部材32（符号32A〜32Qで示す）および／またはシリンジ係合部材83（符号83A〜83Qで示す）の代替的な態様の形状を示す。図4Aは、図3Aを参照して本明細書で説明する態様の係合部材32、83のセグメントを円筒形平面投影図で示す。図4Bは、様々な態様について、シリンジ12上の係合部材32Bの近似表面と、シリンジポート16上の対応するシリンジ係合部材83Bと、を点線で示す。図4Cは、シリンジ係合部材83Cの谷YYCが係合部材32Cの表面に比べて延長される態様を示し、図4Dは、シリンジ係合部材83Dの表面が、係合部材32Dを受け入れるための谷YYDを画定する1つまたは複数の直線状セグメントを含む態様を示す。図4Eは、符号83Eの谷YYEの少なくとも一部が、たとえば、係合部材34Eと依然として相互作用することを可能にしつつ、任意の破片または他の外部材料からの干渉を低減するために、実質的に長方形のプロファイルを有する態様を示す。図4Fは、シリンジ係合部材83Fが、シリンジ12の係合部材32Fに選択的に接触し得る1つまたは複数の遠位突起83FBを有する平らな底面83FAを有する態様を示す。この態様では、シリンジ12の係合部材32Fの底部セグメントは、シリンジ係合部材83Fの谷部YYFに接触して、シリンジ12の回転がテーパ面32Fと1つまたは複数の遠位突起83FBとロック／リリースリング84Fの対応する回転との接触を生じさせる前に、いくらかの回転スロップ、ギャップ、または公差を可能にする。図4Gに示す態様では、係合部材32Gの底部は、シリンジ係合部材83Gの谷部YYGに接触しない。むしろ、係合部材32Gは、図4Fの動作と同様の動作で突起83GBの少なくとも一部と係合する。図4Hは、係合部材32Hとシリンジ係合部材83Hの両方が少なくとも1つのセグメント化された直線面を有し、シリンジ係合部材83Hのピークは、シリンジ12上の係合部材32Hの谷部に嵌合するが、好ましくは背それを完全には満たさない。図4Iは、係合部材32Iおよびシリンジ係合部材83Iの両方が、各部材の傾斜面間で相互作用が確実に起こるように、それぞれの谷部に完全に嵌合するには幅が大きすぎる別の態様を示す。
【００８０】
図4Jは、長手方向15に変化する長さの複数の別個のセグメントを有する係合部材32Jを示し、セグメントの先端または端部は、シリンジ係合部材83J内に嵌合するのに必要な、本明細書で説明される、ほぼ正弦波形のプロファイルまたは他のプロファイルを画定する。図4Kは、シリンジ12がシリンジポート16内に挿入される際にセグメントの一部が半径方向には曲がるが円周方向には曲がらないように、共通の長さの複数の別個のセグメントを有する係合部材32Kを示す。この態様では、係合部材32Kがシリンジ係合部材83Kと相互作用する場合に、重なり合う突起はシリンジ係合部材83Kに対して半径方向に曲がるが、係合部材32K上の重なり合わない突起は、本明細書で説明するように、対応するシリンジ係合部材83Kと係合する。代替的な態様では、シリンジ係合部材83は、シリンジ12の係合部材32の輪郭と一致するように円周方向に移動して共に群を成し、係合解除動作の作動のための回転力を伝達することができるバネ付勢ボールまたはフィンガを含んでもよい。図4Lは、シリンジ係合部材83Lと相互作用するように構成された長手方向軸15と実質的に平行な突起を含む棒状構造を有する係合部材32Lを有する態様を示す。係合部材32Lは、各係合部材32Lの近位先端から遠位方向にシリンジバレル18（図1Bに示す）の終端部27に向かって延在する仮想テーパ面39A〜39Bを有する。図4Mは、長手方向軸15（図2Bに示す）に対してテーパが付けられるように傾斜した突起を有する棒状構造を有する係合部材32Mの態様を示す。いくつかの態様では、係合部材32Mは、シリンジ係合部材83Mと相互作用するのに十分に剛性であってもよい。係合部材32の他の態様は、シリンジ終端部27と突起の中間部分との間の強化支持部を含んでもよい。あるいは、係合部材32Mは、係合解除するために回転すると曲がり、シリンジポート16からシリンジ12を排出する間にバネ力を供給し付加することができる。
【００８１】
図4Nは、係合部材32Nおよびシリンジ係合部材83Nが、実質的に角度の付いたピークを形成するように会合する実質的に直線のテーパ面を有する鋸歯パターンを画定する態様を示す。係合部材32Nは、シリンジ係合部材83Nに対して等しいかまたは等しくないピーク間の高さまたはテーパ角を有してもよく、またはその逆であってもよい。図4Oは、シリンジ12上の係合部材32Oの周波数が、シリンジポート16内のロック／リリースリング84上のシリンジ係合部材83Oの周波数よりも、たとえば2倍大きい態様を示す。他の態様では、シリンジ12上の係合部材32Oの周波数は、シリンジポート16上のシリンジ係合部材83Oの周波数に対して整数倍であってもよい。他の態様では、シリンジ12上の係合部材32Oの周波数は、シリンジポート16上のシリンジ係合部材83Oの周波数よりも小さい、たとえばその周波数の整数比であってもよい。図4Pは、シリンジ係合部材83Pの1つまたは複数が存在しない態様を示す。図示していないが、シリンジ12上の係合部材32Pの1つまたは複数もまた存在しなくてもよい。あるいは、係合部材32Pの1つまたは複数が存在しなくてもよい。図4Qは、係合部材32Qが近位点で丸みを帯び、最遠位点で角度をなす態様を示し、相補的なシリンジ係合部材83Qは、実質的に尖ったピークを有する。少なくとも1つの係合部材32の形状に関する様々な非態様が図4A〜図4Qに示されているが、このような形状は、シリンジ係合部材83で、または本開示の他の態様による係合部材32およびシリンジ係合部材83の両方で用いてもよい。さらに、様々な係合部材の形状の組み合わせを、シリンジ12、ロック／リリースリング84、またはその両方に使用することができる。加えて、シリンジ12上の係合部材32は、本明細書で説明するように、図4A〜図4Qに示す係合部材の様々な態様と等価物との様々な組み合わせを含むことができる。さらに、ロック／リリースリング84上のシリンジ係合部材83は、本明細書で説明するように、図4A〜図4Qに示すシリンジ係合部材の様々な態様と等価物との様々な組み合わせを含むことができる。
【００８２】
図5Aは、シリンジ12をシリンジポート16に挿入する際の、少なくとも1つの係合部材32上のテーパ面39A〜39Bと、少なくとも1つのシリンジ係合部材83上のテーパ付き案内面85A〜85Bと、の間に存在する力の一般化された自由物体図である。シリンジ12の少なくとも1つの係合部材32は、ユーザの手によって提供される遠位方向の力Pにより、シリンジポート16上の少なくとも1つのシリンジ係合部材83と相互作用する。この一般化された相互作用に関する静的力解析を実行することにより、図5Bに示すように、表面間の様々な摩擦係数μに対する2組のテーパ面の相互作用の軸方向から測定した角度Aの関数としての挿入力の推定値が得られる。いくつかの態様では、シリンジ12はポリエチレンテレフタレート（PET）材料から製造され、ロック／リリースリング84はDELRIN（商標）などのポリオキシメチレン（POM）材料から製造されてもよい。別のDELRIN（商標）表面上のDELRIN（商標）の摩擦係数μは約0．4である。様々な他の表面の摩擦係数を測定し、適切に計算に使用することができる。この値を用いると、妥当な挿入挙動を可能にするための角度Aの実際的な限界は、シリンジ12の長手方向軸15の方向に対して測定して、約60〜65度の角度である。角度Aの他の実際の限界は、少なくとも1つの係合部材32および少なくとも1つのシリンジ係合部材83のそれぞれのテーパ面39A〜39Bおよび85A〜85Bの最適角度範囲を決定するために、他の摩擦係数について決定されてもよい。摩擦係数が0．6の場合には、50〜55°未満の角度を使用することができる。
【００８３】
図6Aは、シリンジ12の少なくとも1つの係合部材32に対する3つの異なる正弦波形設計のオーバーレイを示す。パターンAAは0．2インチのピーク間の高さと直径1．9インチのシリンジの周りの16サイクルの繰り返しを有する。バレル壁の厚さは、シリンジの直径に比べて比較的小さい。パターンBBは0．2インチのピーク間の高さと直径1．9インチのシリンジの周りの6サイクルの繰り返しを有する。パターンCCは0．4インチのピーク間の高さと直径1．9インチのシリンジの周りの8サイクルの繰り返しを有する。図6Bは、直径1．9インチのシリンジの円周の周りの長手方向軸15（図5Aに示す）に対する角度方向を示す。角度は、Angle＝90−Abs（ArcTan（−（H＊N／D）＊Sin（N＊θ））の式で表すことができ、ここでHはパターンのピーク間の高さであり、Dはパターンの直径であり、Nはバレル周りの反復サイクル数であり、角度は、図5Aに示す長手方向軸15の向きに平行な方向から測定される。この計算から、パターンAAおよびCCは、角度が65°を上回る小さい部分を有し、したがって、挿入するのが困難であり得る。
【００８４】
図7Aは、シリンジ12をシリンジポート16に解放排出する際の、少なくとも1つの係合部材32上のテーパ面39A〜39Bと、少なくとも1つのシリンジ係合部材83上のテーパ付き案内面85A〜85Bと、の間の力の一般化された自由物体図である。シリンジ12上の力は、係合部材83に対する係合部材32の法線力N1および摩擦力F1、保持フランジ41上の偏向可能な保持要素78の法線力N2および摩擦力F2、ならびにシリンジを回転させるためにユーザにより加えられる力T、およびドリップフランジ36によって提供されるシリンジを近位に圧接する任意の力Dである。シリンジ係合部材83は、それがベース98上を摺動する際の法線力N3および摩擦力F3と、第2の弾力的な弾性部材96からの復元力Sと、を有する。図7Bに示すように、静的解析は、係合部材32とシリンジ係合部材83との間のインターフェースにおける滑りに角度Aが必要であることを示している。摩擦係数μ1が0．4の場合には」、最小角度は約20度である。このように、20度よりも大きな角度に対しては滑りが生じ、偏向可能な保持要素78が保持フランジ41を取り除くのに十分な移動があると、シリンジはシリンジポート16から排出される。図7Cは、第2の弾力的な弾性部材96の復元力Sが増加するにつれてシリンジ12を回転させる回転力Tの比を示す。比は、角度が大きくなるにつれて比較的一定であるが、より大きな角度では比が劇的に増加する。いくつかの例では、少なくとも30度で約60度未満の角度を使用することができる。
【００８５】
別の態様では、シリンジバレル18の円周の周りの少なくとも1つの係合部材32の1つまたは複数の存在または不在を使用して、シリンジ12またはシリンジ内容物に関する情報（たとえば、予め充填されたシリンジ）を搬送または符号化することができる。たとえば、シリンジ12の円周の周りの特定の場所における少なくとも1つの係合部材32の1つまたは複数の存在または不在は、様々な電子的手段、たとえば光センサ、機械的スイッチ、容量センサ、およびインジェクタ10のシリンジポート16内の他の手段によって検出することができる。少なくとも1つの係合部材32のうちの1つまたは複数の存在または不存在によって表され得る符号化された情報の一例として、単一の符号が係合部材32の不在を示すことができ、2つ以上の係合部材32の不在は、たとえば係合部材32の間の異なる空間に複数の符号を提供することができる。
【００８６】
図8Aを参照すると、そのための取り付け部材を含むカップリング130は、シリンジバレル18とは別個であり、取り付け可能であるように製造することができる。カップリング130は、たとえば、本明細書に記載の少なくとも1つの係合部材32を有するシリンジ12を受け入れ、少なくとも1つの係合部材32を受け入れるように構成されないロック機構を有するシリンジポートを有する流体インジェクタと共に使用するためにシリンジ12を適合させるように構成することができる。たとえば、カップリング130は、米国特許第5，383，858号または米国特許第6，652，489号に記載の流体インジェクタ、または他の任意の流体インジェクタと共に使用するためにシリンジ12を適合させることができる。いくつかの態様では、カップリング130は、インジェクタに解放可能に接続可能である。他の態様では、カップリング130は、流体インジェクタのロック機構に挿入され、保持されてもよい。カップリング130はまた、インジェクタへのカップリングの取り付けとは独立して、シリンジ12に解放可能に接続されまたは取り付けられてもよい。
【００８７】
図8Aを参照すると、カップリング130は、本明細書に記載の態様による少なくとも1つの係合部材32を有するシリンジ12を受け入れるように構成された第1の部分132と、本明細書に記載の態様による少なくとも1つの係合部材32を有するシリンジ12を受け入れるように構成されていないシリンジポートを有するインジェクタに装填するように構成される第2の部分134と、を有する。第1の部分132は、第2の部分134に直接接続され、それとモノリシックに形成されてもよい。いくつかの態様では、第1の部分132は、第2の部分134に解放可能に接続され、様々な第2の部分（図9A〜図9Bに示す）が第1の部分132と共に使用され得る。引き続き図8Aを参照すると、第1の部分132は、本明細書で説明するロック機構35を有する。様々な態様では、カップリング130の第1の部分132は、本明細書で説明するように、対応する少なくとも1つの係合部材32を有するシリンジ12を解放可能に受け入れるように構成することができる。図9A〜図9Bを参照すると、カップリング130の第2の部分134は、本明細書に記載の少なくとも1つの係合部材32を有するシリンジ12を受け入れることができないインジェクタと接続するように構成された接続インターフェースを有することができる。図9Aは、米国特許第5，383，858号に記載のインジェクタの係合機構と共に使用するように構成された第2の部分134を示し、図9Bは、米国特許第6，652，489号に記載のインジェクタの係合機構と共に使用するように構成された第2の部分134を示す。第2の部分134は、シリンジの近位端の係合機構の構成に基づいて、本明細書に明示的に記載されていない様々な他のインジェクタとインターフェースするように構成されてもよい。いくつかの態様では、カップリング130は、カップリング130をインジェクタのロック機構に係合させ、それから離脱させるための別個の機構を有してもよい。
【００８８】
図8Bを参照すると、アダプタ230は、本明細書に記載の態様の1つによるロック機構35を有するインジェクタに取り外し可能に挿入するための本明細書に記載の1つまたは複数の係合部材32を有さないシリンジSを受け入れるように構成されてもよい。種々の態様では、アダプタ230は、インジェクタに後で取り付けるためにシリンジSに接続するように構成することができる。たとえば、アダプタ230は、非互換性のシリンジSに解放可能にまたは永久的に接続されてもよい。そのようなアダプタ230は、本明細書に記載の態様による少なくとも1つの係合部材32を有する接続インターフェースを有することができる。アダプタ230は、本明細書に記載のロック機構35を有するインジェクタと解放可能に接続可能に構成されてもよい。アダプタ230およびシリンジSは、シリンジに接続する前に接続されてもよく、あるいはアダプタ230は、シリンジSがアダプタ230に接続される前にインジェクタに接続されてもよい。アダプタ230およびシリンジSは、使用後にインジェクタから取り外すことができ、アダプタ230はシリンジSと一緒に処分されるか、または使用済みシリンジSから取り外され、その後別のシリンジSで使用するために保管される。
【００８９】
一態様では、アダプタ230の第1の部分232は、本明細書に記載されたロック機構35のいずれとの使用にも適合しないシリンジSを永久にまたは解放可能に受け入れるように構成することができる。いくつかの態様では、シリンジSは、米国特許第5，383，858号または米国特許第6，652，489号に記載されたシリンジ、または任意の他のシリンジであってもよい。アダプタ230は、非互換性のシリンジSが本明細書に記載のロック機構35に係合して保持されることを可能にする。いくつかの態様では、アダプタ230は、アダプタ230がインジェクタ10のロック機構35に接続されたままで、シリンジSを係合および係合解除するための別個の機構を有することができる。第1の部分232はまた、たとえば手持ち式シリンジまたは異なる保持機構または特徴を有するシリンジであり、それらをロック機構35により係合させて保持させることを可能にする他のシリンジSを保持または維持するための受け台またはスリーブであってもよい。アダプタ230の第2の部分234は、本明細書に記載の態様による少なくとも1つの係合部材32を有することができる。いくつかの態様では、少なくとも1つの係合部材32は、図1B〜図4Qを参照して本明細書で説明した構成を有することができる。アダプタ230の第2の部分234は、本明細書に記載のロック機構35を有するインジェクタと解放可能に接続可能に構成されてもよい。このようにして、種々の非互換性のシリンジSを、本明細書に記載のロック機構35を有するインジェクタと共に使用することができる。様々な態様では、アダプタ230は、高圧を必要とする注入手順で使用するために、圧力ジャケット（図示せず）をインジェクタに接続するように構成することができる。たとえば、圧力ジャケットを有するアダプタ230は、インジェクタと解放可能に接続可能に構成されてもよい。そのようなアダプタ230は、本明細書に記載の態様による少なくとも1つの係合部材32を有する接続インターフェースを有してもよく、あるいは、非互換性のシリンジをインジェクタと共に使用することを可能にする接続インターフェースを有してもよい。アダプタ230は、本明細書に記載したロック機構35を有するインジェクタに解放可能に、永久に、または半永久的に接続可能であり、代替の保持機構を有するシリンジSをインジェクタとともに使用できるように構成することができる。一旦インジェクタに接続されると、シリンジSは、アダプタ230またはそれに取り付けられた圧力ジャケットに装填され、その近位端または遠位端に保持される。
【００９０】
様々な態様では、アダプタ230は、図3Dを参照して本明細書で説明するように、本明細書に記載するインジェクタ10への後続の取り付けに必要な構成の全てではないがその一部を有するシリンジを接続するように構成することができる。アダプタ230は、インジェクタポート16とそれ自体で嵌合することができないかまたはインジェクタポート16と共に完全に機能することができないシリンジが、ロック機構35と嵌合して少なくとも保持機能を実行することを可能にする。アダプタ230を回転させることによって、シリンジおよびアダプタは、シリンジポートから解放され得る。同様に、挿入時に、アダプタ230をシリンジとの係合のために近位に押し込むことができる。本明細書で論じるように、アダプタは、インジェクタポート16およびシリンジ12Aとインターフェースする図3Dに示すアダプタ12Bなどのリングであってもよい。任意選択的に、アダプタ230は、操作者がシリンジに力を直接加えたり、シリンジを移動させたりする必要なしに、アダプタの1つまたは複数の態様を移動させてアダプタをシリンジポートから解放し、および／またはシリンジをアダプタから解放するための、レバー、ハンドル、またはリングなどの追加の表面（図示せず）を含んでもよい。
【００９１】
図2Aを参照すると、シリンジ12からインジェクタ10（図1Aに示す）に情報を送信するためのシステムが設けられている。一態様では、シリンジ12は、たとえば、係合部材32の1つまたは複数に1つまたは複数の符号化装置49を備えることができる。他の態様では、1つまたは複数の符号化装置49は、外面21（図1Bに示す）、内面23（図1Bに示す）、シリンジ12の近位端20の側壁19（図1Bに示す）の少なくとも一部分内、またはプランジャ26に配置されてもよい。いくつかの態様では、符号化装置49は、バーコードなどの光学的に読み取り可能な部材であってもよく、他の態様では、符号化装置49は、RFIDタグ、近距離通信装置、または他の適切な符号化装置であってもよい。複数の符号化装置49は、シリンジ12および／またはプランジャ26の内周または外周に配置されてもよい。符号化装置49を読み取るために、少なくとも1つのセンサ51（図2Aに示す）をシリンジポート16に設けることができる。いくつかの態様では、少なくとも1つのセンサ51は、少なくとも1つの偏向可能な保持要素78上に設けられてもよい。符号化装置49で符号化することができる情報の例としては、シリンジ12の寸法、シリンジ12の容量、シリンジ12の内容（予め充填されたシリンジの場合）、ロット番号などの製造情報、日付および工具キャビティ番号、推奨される造影剤の流量および圧力、ならびに／または充填／注入シーケンスが挙げられる。一態様では、1つまたは複数の係合部材32の存在または不存在が符号化装置としての役割を果たすことができる。たとえば、1つの不存在係合部材32は、第1の符号を表すことができる。2つ以上の隣接する不存在係合部材32は、第2の符号を表すことができる。2つ以上の隣接していない不存在係合部材32は、第3の符号を表すことができる。存在／不存在の係合部材32の他の様々な組み合わせは、様々な他の符号を表すことができる。個々の係合部材32の存在または不存在は、機械的スイッチ、電気材料センサ、光学的、視覚的、または検出技術分野で知られている他の手段を用いてインジェクタによって決定することができる。このシリンジの符号化情報は、操作者との通信のため、およびインジェクタを正確にプログラミングおよび制御する際のその後の使用のために、インジェクタ制御装置に伝達される。
【００９２】
いくつかの態様では、図2Aおよび図3Aに示すロック機構35のベース70などのインジェクタ10（図1Aに示す）の少なくとも一部は、シリンジ12の近位端20の内部容積25の少なくとも一部に突出する内側支持リング（図示せず）を有してもよい。そのような支持リングは、内部容積25の少なくとも一部の中に取り外し可能に延長可能であり得る。シリンジ12がロック機構35に挿入される場合に、支持リングは、シリンジ12の1つまたは複数の係合部材32および／または内側側壁23（図1Bに示す）の少なくとも一部に半径方向および軸方向の支持を提供することができる。図2Aに示すように、少なくとも1つのセンサ51がシリンジポート16上に設けられる態様では、支持リングは、少なくとも1つの符号化装置49の有無を検出するための対照面を提供することができる。たとえば、支持リングは、少なくとも1つの符号化装置49の検出を容易にするために、シリンジ12の半透明または透明な側壁19に対して対照的な不透明な表面を提供することができる。
【００９３】
図10Aを参照すると、一態様によるプランジャ26は、シリンジ12のバレル18の側壁19に対して液密封止を提供するように構成されたプランジャ本体110を含む。プランジャ26は、インジェクタ10（図1Aに示す）のピストン120の付勢の下でシリンジバレル18内で往復移動可能である。プランジャ26は、長手方向軸15に沿ってシリンジバレル18の近位端20と遠位端24との間を移動可能である。プランジャ本体110は、円錐形の遠位端112と、実質的に円筒形の近位端114と、を有することができる。少なくとも1つのシール116を有するプランジャカバーは、プランジャ本体110の少なくとも一部を覆うことができる。円錐形の遠位端112の外縁の少なくとも1つのシールは、シリンジバレル18の内側側壁19を液密に係合させるように構成される。少なくとも1つのシール116は、プランジャ26がシリンジバレル18を通って前進する際に、流体がシリンジバレル18から漏れることを防止するように構成されたエラストマーシールであってもよい。
【００９４】
引き続き図10Aを参照すると、プランジャ26の近位端114は、インジェクタ10（図1Aに示す）のピストン120（図10Cに示す）と係合するように寸法決めされ適合される。いくつかの態様では、プランジャ26の近位端114は、ピストン120に解放可能に係合するように構成された挿入部分を画定する。本明細書で詳細に説明するように、特定の態様では、プランジャ26の近位端114は、シリンジ／シリンジインターフェースに関して図2A〜図4Qを参照して上述した係合部材32と設計および動作が同様である1つまたは複数の係合部材320を含む。プランジャ26の1つまたは複数の係合部材320は、ピストン120（図10B〜図10Cに示す）の対応するロック機構と解放可能なロック係合を形成するように適合される。1つまたは複数の係合部材320を有するプランジャ26とピストン120のロック機構との組み合わせは、プランジャ26をピストン120に解放可能に接続するための接続インターフェースを画定する。
【００９５】
少なくとも1つの係合部材320は、プランジャ26の近位端114の終端部270から近位方向に軸方向に突出する1つまたは複数の突起として形成される。少なくとも1つの係合部材320は、プランジャ本体110の近位端114の外面および内面と実質的に連続していてもよい。他の態様では、少なくとも1つの係合部材320は、プランジャ本体110の近位端114の外面に対して半径方向外向きまたは半径方向内向きに突出してもよい。複数の係合部材320は、本明細書で詳述するように、波形または正弦波形状でプランジャ本体110の近位端114の円周の周りに配置されてもよい。3つ以上の係合部材320が設けられる態様では、係合部材320は、プランジャ本体110の近位端114の外周の周りに均等にまたは不均等に離間して配置されてもよい。たとえば、6つの係合部材320を有する態様では、各係合部材320は、隣接する係合部材320から60度離れて分離される。他の態様では、係合部材320は、バレル18の外周の周りに等しくない角度間隔を有することができる。たとえば、1つまたは複数の係合部材320は、角度Aを定めることができ、それはプランジャ本体110の近位端114の円周の60度を超えるかまたは60度未満であってもよい。いくつかの態様では、係合部材320の各々は、プランジャ本体110の近位端114の終端部270から近位方向に等距離で突出してもよい。他の態様では、1つまたは複数の係合部材320は、残りの係合部材320よりも長くても短くてもよい。各係合部材320は、実質的に剛性であり、半径方向または円周方向に偏向することがない。各係合部材320は、連続し、かつ中断されなくてもよく、または係合部材320を共に画定する複数の別個の要素から構成されてもよい。
【００９６】
係合部材320の各々は、長手方向軸15に沿って遠位方向に近位端370からプランジャ本体110の近位端114の終端部270まで延在する一対のテーパ面390A〜390Bを有する尖った近位端370を有する。近位端370は、鋭いまたは丸い先端を有してもよい。テーパ面390A〜390Bの少なくとも1つは、長手方向軸15の方向に対して角度Bで軸方向に傾斜している。長手方向軸15に対する少なくとも1つのテーパ面390A〜390Bの軸方向のテーパは、プランジャ本体110の遠位端112から近位端114に向かう方向において、円筒形平面投影図におけるテーパ面390A〜390Bの傾斜角として画定されてもよい。テーパ面390A〜390Bは、長手方向軸15に対して同じまたは異なる角度で傾斜してもよい。いくつかの態様では、テーパ面390A〜390Bは、直線状、湾曲状、またはそれらの組み合わせであってもよい。他の態様では、テーパ面390A〜390Bのうちの1つのプロファイルは、テーパ面390A〜390Bのうちの他のものと同じであっても異なっていてもよい。たとえば、テーパ面390A〜390Bのうちの一方は、長手方向軸15の方向に対して傾斜してもよく、テーパ面390A〜390Bの他方は、長手方向軸15の方向と平行であってもよい。少なくとも2つの係合部材320が互いに隣接して配置される態様では、一方の係合部材320のテーパ面390Aは、各隣接する係合部材320のテーパ面390Bに移行してもよい。
【００９７】
図10Aは、少なくとも1つの係合部材320の1つの非限定的な態様を示しているが、様々な他の形状も考えられる。たとえば、少なくとも1つの係合部材320は、ほぼ円形、三角形、正方形、長方形、または他の多角形を有してもよい。各態様では、少なくとも1つの係合部材320は、本明細書で説明されるように、プランジャ26を保持するためのインジェクタ10のピストン120上の対応するロック機構350（図10Cに示す）とのロック係合を形成するように構成される。係合部材320の各態様に関して、使用される係合部材320の数は、本開示の範囲内に留まりながら変更されてもよいと考えられる。少なくとも1つの係合部材320の様々な態様は、図2A〜図4Qを参照して本明細書で説明される係合部材32と実質的に同様であり得る。
【００９８】
引き続き図10Aを参照すると、プランジャ26は、長手方向軸15に対してプランジャ本体110の近位端114の外面から半径方向外側に延在する保持フランジ410によって画定される挿入停止面を有することができる。保持フランジ410は、バレル18の外周の少なくとも一部の周りに延在してもよく、単一の連続フランジまたは1つまたは複数の不連続なセグメントであってもよい。一態様では、保持フランジ410は、係合部材320に対して長手方向軸15に沿って遠位に配置される。保持フランジ410は、プランジャ26と一体に形成されてもよく、あるいは、たとえば、摩擦嵌合および／または接着剤、溶接、もしくはモールディングを用いて、プランジャ本体110の近位端114の外面に固定または固着されてもよい。他の態様では、保持フランジ410は、エッチング、レーザ切断、または機械加工によって、プランジャ本体110の近位端114の外面に形成されてもよい。保持フランジ410は、1つまたは複数の係合部材320から遠位方向にプランジャ本体110の近位端114の長さに沿った任意の場所にあってもよい。いくつかの態様では、保持フランジ410は、1つまたは複数の係合部材320上に直接形成されてもよい。
【００９９】
図10Bを参照すると、インジェクタ10のピストン120（図10Cに示す）は、プランジャ26の少なくとも1つの係合部材320と動作可能に係合するように構成されたロック機構350を有する。ロック機構350は、プランジャ26の近位端114を受け入れるように構成された中央開口部710を有するハウジング700を含む。ガイドリング480がハウジング700に対して回転したり、長手方向に移動したりすることがないように、ハウジング700に対してガイドリング480を固定することができる。一態様では、ガイドリング480は、本体720の外周から半径方向外側に延在する1つまたは複数のタブ740を有する本体720を有する。ハウジング700内に設置される場合に、1つまたは複数のタブ740は、ハウジング700の内側側壁730上の対応する1つまたは複数の溝760に係合する。他の態様では、ガイドリング480は、クリップ、ファスナ、またはスナップフィット構成などの他の機械的な固定構成によってハウジング700に固定されてもよい。さらなる態様では、ガイドリング480は、ハウジング700と溶接、接着またはモールドされてもよい。ガイドリング480の中心軸は、ハウジング700に設置される場合に、ハウジング700の中心軸と同軸である。
【０１００】
引き続き図10Bを参照すると、ガイドリング480は、対応する1つまたは複数の偏向可能な保持要素780を摺動可能に受け入れるように構成された1つまたは複数の第1の凹部600を有する。1つまたは複数の第1の凹部600は、ガイドリング480の本体720の周りに均等に離間して配置されてもよい。1つの態様では、1つまたは複数の第1の凹部600は、ガイドリング480の内周から外周に延在する。たとえば、ガイドリング480が4つの第1の凹部600を有する態様では、各第1の凹部600は、両側に隣接する第1の凹部600から90度離れて分離される。ガイドリング480上の第1の凹部600の数は、偏向可能な保持要素780の数に対応してもよい。各第1の凹部600の側縁部は、プランジャ26がガイドリング480の内外に挿入されると、偏向可能な保持要素780の移動を半径方向に案内するための半径方向移動経路を画定する。ガイドリング480の上面の少なくとも一部は、プランジャ26がロック機構350内に挿入される場合に、プランジャ26の近位方向への移動を制限する停止面590を画定する。一態様ではプランジャ26の保持フランジ410が停止面590と係合して、プランジャ26の近位方向への移動を制限する。
【０１０１】
引き続き図10Bを参照すると、ロック機構350は、ガイドリング480に対して半径方向に摺動するように構成された1つまたは複数の偏向可能な保持要素780をさらに含む。さらに詳述するように、1つまたは複数の偏向可能な保持要素780の各々は、両方とも互いに固定されたガイドリング480およびハウジング700に対して半径方向に摺動可能である。バネなどの少なくとも1つの第1の弾力的な弾性部材1020は、一端で1つまたは複数の偏向可能な保持要素780の少なくとも一部に、およびハウジング700の少なくとも一部に接続される。一態様では、プランジャ26の保持フランジ41は、少なくとも1つの偏向可能な保持要素780のロックリップ800と係合して、それを半径方向外向きに偏向させ、プランジャ26をロック機構350内に挿入することを可能にする。ロックリップ800は、プランジャ26の近位方向への移動が、少なくとも1つの偏向可能な保持要素780を半径方向外側に圧接する半径方向の成分を有する力をもたらすように、長手方向軸15に対して傾斜してもよい。あるいは、保持フランジ410の近位表面は、プランジャ26の近位方向への移動が、少なくとも1つの偏向可能な保持要素780を半径方向外側に圧接する半径方向の成分を有する力をもたらすように、長手方向軸15に対して傾斜してもよい。保持フランジ410がロックリップ800を取り除いた後に、少なくとも1つの偏向可能な保持要素780は、少なくとも1つの第1の弾力的な弾性部材1020の圧接下で初期の位置に復帰する。
【０１０２】
ロック機構350は、ほぼ環状の形状を有するロック／リリースリング840をさらに含む。ロック／リリースリング840は、係合部材320に係合して、プランジャ26をピストン120に対して選択的にロックおよび解放するように構成される。ロック／リリースリング840は、ピストン120の長手方向軸15の周りの回転に伴ってハウジング700に対して回転可能である。ロック／リリースリング840は、ロック／リリースリング840の内周の周りに延在する1つまたは複数のシリンジ係合部材830を有する。1つまたは複数のシリンジ係合部材830は、プランジャ26上の係合部材320のうちの1つまたは複数に対して相補的形状を有する。一態様では、1つまたは複数のシリンジ係合部材830は、プランジャ26の終端部270における1つまたは複数の係合部材320の形状に対応するように成形される。たとえば、1つまたは複数のシリンジ係合部材830は、波形または正弦波形状を有してもよい。1つまたは複数のシリンジ係合部材830は、相互作用面850A、850Bを有し、プランジャ26がロック機構350に挿入されたり、ロック機構350から引き抜かれたりする際に、テーパ面390A〜390Bが相互作用面850A、850Bに沿ってスライドすることができる。相互作用面850A、850Bは、プランジャ26に面する方向に尖ったまたは丸い先端までテーパが付けられている。相互作用面850A、850Bの少なくとも1つは、長手方向軸15の方向に対して軸方向に傾斜している。少なくとも1つの相互作用面850A、850Bの長手方向軸15に対する軸方向のテーパは、プランジャ26がロック機構350内に挿入された場合に、プランジャ26の近位端114に向かう方向の円筒形平面投影図における相互作用面850A、850Bの傾斜角として画定されてもよい。相互作用面850A、850Bは、長手方向軸15に対して同じまたは異なる角度で傾斜してもよい。いくつかの態様では、相互作用面850A〜850Bは、直線状、湾曲状、またはそれらの組み合わせであってもよい。他の態様では、相互作用面850A、850Bの一方のプロファイルは、相互作用面850A、850Bの他方と同じであっても異なっていてもよい。たとえば、相互作用面850A、850Bの一方は、長手方向軸15の方向に対して傾斜してもよく、相互作用面850A、850Bの他方は、長手方向軸15の方向と平行であってもよい。
【０１０３】
引き続き図10Bを参照すると、ロック／リリースリング840は、偏向可能な保持要素780の各々の動きを案内するためのガイドスロット860をさらに含む。各ガイドスロット860は、ロック／リリースリング840の上面880の外周に配置されている。各ガイドスロット860は、対応する偏向可能な保持要素780が、プランジャ26がロック機構350内にロックされる第1の位置と、プランジャ26がロック機構350からロック解除される第2の位置と、の間で案内されるガイドトラック900を有する。一態様では、各偏向可能な保持要素780の少なくとも一部がガイドトラック900と係合する。第1の位置では、各偏向可能な保持要素780は、各偏向可能な保持要素780がその最も半径方向内側の位置にあるように、第1の端部920でガイドトラック900に係合する。この位置では、プランジャ26の保持フランジ410は、1つまたは複数の偏向可能な保持要素780のロックリップ800によって保持されるので、プランジャ26をその長手方向軸15に対して回転させることなしに、プランジャ26をロック機構350から取り外すことができない。プランジャ26がその長手方向軸15の周りで回転すると、ロック／リリースリング840が回転して、各偏向可能な保持要素780がガイドトラック900に沿って半径方向外向きに第2の端部940に向かって案内され、この場合には、各偏向可能な保持要素780は最も半径方向内側の位置にある。この位置では、プランジャ26を遠位方向に引き出すことによって、プランジャ26をピストン120から取り外すことができる。プランジャ26が取り除かれると、ロック／リリースリング840は、ハウジング700のベース980に固定され得る第2の弾力的な弾性部材960の復元作用の下で第1の位置に回転される。特定の態様では、プランジャピストンインターフェースは、プランジャをピストンから解放するのに必要な回転度が、ロック機構35などのロック機構からシリンジ12を解放するのに必要な回転度よりも小さくなるように設計することができる。
【０１０４】
動作中、ピストン120は、注入手順の間にシリンジバレル18を介してプランジャ26を駆動するために、プランジャ26に解放可能に接続可能である。最初は、ピストン120はプランジャ26から切り離されている。ピストン120は、プランジャ26上の1つまたは複数の係合部材320がロック機構350内に係合するまで、軸方向に前進することができる。このプロセスは、図2A〜図2Bを参照して本明細書で説明するシリンジポート16にシリンジ12を接続するプロセスと同様である。固定した後に、ピストン120は、ピストン120がバレル18を通ってプランジャ26を往復駆動することができるように、プランジャ26に接続される。ピストン120をプランジャ26からロック解除するために、長手方向軸15の周りのシリンジ12の回転は、図2A〜図2Bを参照して本明細書に記載のシリンジポート16からのシリンジ12の解放と同様に、プランジャ26をロック機構350から解放する。しかしながら、本明細書で説明するように、プランジャは、ロック機構35から解放するためにシリンジ12によって必要とされる解放に影響を及ぼすために、より少ない回転度を必要とすることがある。
【０１０５】
図11A〜図11Bを参照すると、圧力ジャケットを流体インジェクタに接続するための接続インターフェースが示されている。当技術分野で知られているように、シリンジは、しばしば、一定の最小壁厚を有するポリマー材料で作られる。注入手順の間に、図1Bに示すシリンジ12などのシリンジは1200psiまでの圧力を受けるので、シリンジ12の壁の厚さおよび弾力性は、シリンジ12が破裂または漏れないことを保証する上で重要である。特により薄い壁を有するシリンジでは、高圧注入を受ける場合にシリンジ12の可能な半径方向の拡張にさらに対抗するために、シリンジ12と比較してより厚いおよび／またはより強い側壁を有する圧力ジャケット300などの圧力ジャケットを利用して、シリンジ12を包囲して保持することができる。圧力ジャケット300は、加圧注入手順の間にシリンジバレル18の半径方向の拡張を制限するように作用する。すなわち、注射手順の間に、シリンジ12の外面21が圧力ジャケット300の内壁に対して拡張し、それにより、破裂または漏出を招く可能性があるシリンジバレル18の半径方向の拡張が制限される。
【０１０６】
圧力ジャケット300は、2つ以上の別個の要素から形成されてもよく、または一体のモノリシック設計で形成されてもよい。圧力ジャケット300は、接続インターフェースを介してインジェクタのポート内に保持される。シリンジ／インジェクタインターフェースに関して本明細書で説明するインターフェースのいずれも、圧力ジャケットとインジェクタポートとの解放可能なインターフェースに使用するのに適している。
【０１０７】
シリンジ12および圧力ジャケット300に作用する半径方向の力に加えて、構造部品の弾性的な性質に起因して、高圧注入の間に著しい軸方向移動も起こり得る。たとえば、1200psiで1．6in2の断面積を有する単一の150mlシリンジは、シリンジの前進運動を抑制するために2400psiの力を必要とすることがある。図12A〜図12Bを参照すると、シリンジ12のこの軸方向運動を制限するために、キャップ400を使用してシリンジ12の遠位端を少なくとも部分的にカプセル化し、注入手順中にシリンジ12を圧力ジャケット300内に保持する。キャップ400は、シリンジ12のネックの少なくとも一部がそこを突き抜けてシリンジ12を患者に通じる流体経路セット17に流体接続することを可能にするために、その遠位端に形成された開口部を有することができる。
【０１０８】
シリンジに加えられる軸方向の力により、圧力ジャケット300と流体インジェクタ10との間、およびキャップ400と圧力ジャケット300との間の接続インターフェースは、過度の軸方向の移動または不慮の離脱に耐えるのに十分な強度であることが望ましい。しかし、強度は重要であるが、シリンジ12を取り外すときや挿入するときなどに、操作者がキャップ400および／または圧力ジャケット300を容易に取り外せることも重要である。したがって、圧力ジャケット300と流体インジェクタ10との間の接続インターフェースは、十分に固定されているが、容易な取り付けおよび取り外しが可能であることが望ましい。同様に、キャップ400と圧力ジャケット300との間の接続インターフェースも固定されているが、容易な取り付けおよび取り外しが可能であることが望ましい。
【０１０９】
これらの所望の属性を達成するために、圧力ジャケット300の接続インターフェースは、図1Bおよび図4A〜図4Qに示すシリンジ12と同様のコネクタ構成を有することができ、圧力ジャケット300をそれに接続さすることを可能にするポート160の接続インターフェースは、図2A〜2Bを参照して説明したシリンジポート16と同様のコネクタ構成を有することができる。すなわち、圧力ジャケット300の接続インターフェースは、図1Bおよび図4A〜図4Qを参照して説明した係合部材32と同様に、1つまたは複数の係合部材320を有することができる。同様に、ポート160上の接続インターフェースは、図2A〜図2Bに関して示し説明したロック機構35と同様のロック機構3500を有することができる。
【０１１０】
図11Aを参照すると、圧力ジャケット300は、一般に、ガラス、金属、または適切な医用グレードのプラスチックから形成された実質的に円筒形のバレル318を有する。バレル318は、近位端317および遠位端324を有し、それらの間には、バレル318の中心を通って延在する長手方向軸315の長さに沿って、実質的に円周方向の側壁319が延在する。バレル318は、透明または半透明の材料から作製されてもよい。バレル318は、内部にシリンジを受けるように構成された内部容積325を画定する外面321および内面323を有する。
【０１１１】
引き続き図11Aを参照すると、圧力ジャケット300の近位端317は、ポート160（図11Bに示す）などのインジェクタ10の少なくとも1つのポートに挿入されるように寸法決めされ適合される。いくつかの態様では、圧力ジャケット300の近位端317は、インジェクタ10のポート160に取り外し可能に挿入されるように構成された挿入部分311を画定し、圧力ジャケット300の残りの部分はポート160の外側に留まる。本明細書で詳細に説明するように、特定の態様では、圧力ジャケット300の近位端317は、圧力ジャケット300をポート160内に解放可能に保持するために、インジェクタ10のポート160内の対応するロック機構とロック係合を形成するように適合された少なくとも1つの係合部材320を含む。保持フランジ41を備えた1つまたは複数の係合部材320を有する圧力ジャケット300と、ロック機構3500（図11Bに示す）との組み合わせは、圧力ジャケット300をインジェクタ10に出し入れするための接続インターフェースを画定する。
【０１１２】
特定の態様によれば、ドリップフランジ336は、長手方向軸315に対してバレル318の外面321から半径方向外側に延在することができる。ドリップフランジ360は、バレル318の外周の少なくとも一部の周りに延在することができる。ドリップフランジ336は、シリンジのノズルから滴下する流体がインジェクタ10のシリンジポート160に入るのを防止するように構成することができる。
【０１１３】
引き続き図11Aを参照すると、保持フランジ341は、長手方向軸315に対してバレル318の外面321から半径方向外側に延在することができる。保持フランジ341は、バレル318の外周の少なくとも一部の周りに延在してもよく、単一の連続フランジまたは1つまたは複数の不連続もしくは断続的なセグメントであってもよい。一態様では、保持フランジ341は、係合部材320に対して長手方向軸315に沿って遠位に配置される。保持フランジ341は、バレル318と一体に形成されてもよく、あるいは、たとえば、摩擦嵌合および／または接着剤、溶接、もしくはモールディングを使用して、バレル318の外面321に固定または固着されてもよい。保持フランジ341は、1つまたは複数の係合部材320から遠位方向にバレル318の長さに沿ってどこにあってもよい。いくつかの態様では、保持フランジ341は、1つまたは複数の係合部材320上に直接または隣接して形成されてもよい。保持フランジ341は、バレル318の内径を一定に保ちながら側壁319の厚さを増加させることによって、あるいはバレル318の内径を大きくし、側壁319の厚さを維持、減少または増加させることによっても形成することができる。保持フランジ341の少なくとも一部、たとえば保持フランジ341の近位面は、長手方向軸315に向かってまたは遠ざかるように半径方向にテーパを付けられ、または面取りされてもよい。
【０１１４】
引き続き図11Aを参照すると、少なくとも1つの係合部材320は、バレル318の近位端317に設けられる。たとえば、少なくとも1つの係合部材320は、シリンジバレル318の終端部327から近位方向に軸方向に突出してもよい。少なくとも1つの係合部材320は、バレル318と一体にかつモノリシックに形成されてもよく、あるいは、たとえば摩擦嵌合および／または接着剤を用いて、または溶接によってバレル318の終端部327に固定または固着されてもよい。他の態様では、少なくとも1つの係合部材320は、エッチング、レーザ切断、機械加工、またはモールディングによってバレル318の終端部327に形成されてもよい。いくつかの態様では、1つまたは複数の係合部材320は、ロック機構3500（図11Bに示す）の少なくとも一部と協働して、圧力ジャケット300をポート160に対して自己配向させ、圧力ジャケットの長手方向軸315の周りの回転整列などの、あるいはユーザまたは技術者によるポート160および／またはロック機構3500により圧力ジャケット300を配向させる他の努力などの、圧力ジャケットの物理的整列によらずに、圧力ジャケット300をポート160に解放可能に圧力ジャケット300をロックすることができる。
【０１１５】
図11Aに示す態様では、少なくとも1つの係合部材320は、図11Aに破線で示すシリンジバレル318の終端部327から近位方向に軸方向に突出した1つまたは複数の突起として形成される。少なくとも1つの係合部材320は、外面321および内面323と実質的に連続するように、バレル318の側壁319と同じ半径方向の厚さを有してもよい。他の態様では、少なくとも1つの係合部材320は、バレル318の外面321に対して半径方向外向きまたは半径方向内向きに突出してもよい。さらに、または代替的に、少なくとも1つの係合部材320は、バレル318の内面323に対して半径方向外向きまたは半径方向内向きに突出してもよい。他の態様では、少なくとも1つの係合部材320は、たとえば、内面323および外面321の終端部が少なくとも1つの係合部材320の近位端と実質的に均一であるように、側壁319の内部に配置されてもよい。特定の態様では、複数の係合部材320は、本明細書で詳述するように、バレル318の円周の周りに波形または正弦波形状で配置されてもよい。3つ以上の係合部材320が設けられる態様では、係合部材320は、バレル318の外周の周りに均等に離間して配置されてもよい。たとえば、6つの係合部材320を有する態様では、各係合部材320は、隣接する係合部材320から60度離れて分離される。x個の係合部材320を有する他の態様では、各係合部材320は、隣接する係合部材320から360／x度だけ分離しており、xは1〜360の整数である。他の態様では、少なくとも1つの係合部材320は、バレル318の外周の周りに等しくない角度間隔を有することができる。たとえば、1つまたは複数の係合部材320は、角度Aを定めることができ、それはバレル18の円周の60度を超えるかまたは60度未満であってもよい。少なくとも1つの係合部材320が等しくない角度間隔を有するいくつかの態様では、様々な係合部材320の間隔および配置を使用して、シリンジおよび／またはシリンジ内容に関する情報、たとえば製造業者、ロット番号、製造年月日、容量、圧力最小／最大、様々な医用流体との適合性などを符号化することができる。いくつかの態様では、係合部材320の各々は、シリンジバレル318の終端部327から近位方向に等距離に突出してもよい。他の態様では、1つまたは複数の係合部材320は、残りの係合部材320よりも長くても短くてもよい。各係合部材320は、実質的に剛性であり、圧力ジャケット300をシリンジポート160に挿入したり、シリンジポート160から取り外したりする間に、半径方向または円周方向に偏向することがない。各係合部材320は、連続し、かつ中断されなくてもよく、または係合部材320を共に画定する複数の別個の要素から構成されてもよい。
【０１１６】
引き続き図11Aを参照すると、係合部材320の各々は、係合部材320の近位端337から長手方向軸315に沿って圧力ジャケット300の遠位端324に向かって遠位方向に延在する一対のテーパ面339A〜339Bを備えた実質的に尖った近位端337を有してもよい。近位端337は、鋭いまたは丸い先端を有してもよい。テーパ面339A〜339Bの少なくとも1つは、長手方向軸315の方向に対して角度B（図11Aに示す）で軸方向および／または円周方向に傾斜してもよい。長手方向軸315に対する少なくとも1つのテーパ面339A〜339Bの軸方向／円周方向のテーパは、圧力ジャケット300の遠位端324から近位端317に向かう方向において、円筒形平面投影図におけるテーパ面339A〜339Bの少なくとも1つの傾斜角として画定されてもよい。テーパ面339A〜339Bは、長手方向軸315に対して同じまたは異なる角度で傾斜してもよい。いくつかの態様では、テーパ面339A〜339Bは、直線状、湾曲状、またはそれらの組み合わせであってもよい。他の態様では、テーパ面339A〜339Bのうちの1つのプロファイルは、テーパ面339A〜339Bのうちの他のものと同じであっても異なっていてもよい。たとえば、テーパ面339A〜339Bのうちの一方は、長手方向軸315の方向に対して傾斜してもよく、テーパ面339A〜339Bの他方は、長手方向軸315の方向と平行であってもよい。少なくとも2つの係合部材320が互いに隣接して配置される態様では、一方の係合部材320のテーパ面339Aは、各隣接する係合部材320のテーパ面339Bに移行してもよい。
【０１１７】
さらに、圧力ジャケット300とポート160との接続インターフェース間のそれぞれの係合は、図11A〜図11Bに示し説明した構造の詳細に限定されない。代わりに、接続インターフェースは、それぞれ、図2A〜図4Qに関して示し説明したシリンジ対シリンジポートの係合の構造的詳細を利用することができる。
【０１１８】
圧力ジャケット300をポート160に挿入するために、圧力ジャケット300の長手方向軸315は、2つの軸が実質的に同軸であるように、ポート160の長手方向軸とほぼ整列される。図11Bに示すロック機構3500は、図2A〜図2Bを参照して本明細書で説明したロック機構35と実質的に同様である。したがって、ロック機構3500の様々な構成要素の詳細な説明は省略する。最初に、圧力ジャケット300は、圧力ジャケット300をポート160に対して長手方向軸315の周りに回転的に配向することなく、中央開口部71の上部に挿入することができる。圧力ジャケット300の挿入部分301は、ポート160の開口部71に挿入される。保持フランジ341は、少なくとも1つの偏向可能な保持要素78のロックリップ80と接触するように近位方向に圧接され、それを半径方向外側に偏向させて、圧力ジャケット300がハウジング70内に挿入することを可能にする。シリンジポート16に対する圧力ジャケット300の近位への移動が継続すると、1つまたは複数の偏向可能な保持要素78が第1の凹部60内で半径方向外側に第2の位置に偏向され、中央開口部のサイズが増大して、保持フランジ341が通過することが可能になる。圧力ジャケット300がポート160内で近位方向に前進するので、各係合部材320の1つまたは複数のテーパ面339A、339Bが対応する相互作用面85A、85Bと接触して、圧力ジャケット300を回転的に自己配向させ、ポート160上の係合部材83の谷部に、および／または保持フランジ341がガイドリング48上の停止面59に係合するまで、係合部材320のピークが受け入れられる。少なくとも1つの第1の弾力的な弾性部材102の復元作用の下で、1つまたは複数の偏向可能な保持要素78は、第2の位置から第1の位置へ半径方向に圧接され、1つまたは複数の偏向可能な保持要素78のロックリップ80が停止面59とロックリップ80の底面との間の保持フランジ341上に配置され得る。ドリップフランジ336が保持フランジ341として機能する特定の態様では、1つまたは複数の偏向可能な保持要素78を保持フランジ341上に配置して、ドリップフランジ336を停止面59とロックリップ80の底面との間に保持することができる。圧力ジャケット300がポート160内にロックされていることをユーザに示すために、可聴フィードバックおよび／または触覚フィードバックがこの動作によって提供されてもよい。
【０１１９】
圧力ジャケット300をポート160からロック解除し解放するために、圧力ジャケット300は、たとえば時計回りまたは反時計回りの方向に、その長手方向軸315の周りで回転することができる。圧力ジャケット300の回転により、少なくとも1つの係合部材320が1つまたは複数の係合部材83に逆らって移動し、ロック／リリースリング84を回転させて、1つまたは複数の偏向可能な保持要素78を半径方向に第2の位置に移動させ、保持フランジ341をロックリップ80から解放する。圧力ジャケット300の継続的な回転によって、少なくとも1つの係合部材320が1つまたは複数の係合部材83に逆らって、したがって軸方向に整列しないようにさらに移動するが、これは、係合部材83の相互作用するテーパ面85A〜85Bに沿ったテーパ面339A〜339Bの移動によって圧力ジャケット300に加えられる軸方向の力の成分によるものである。このようにして、1つまたは複数の係合部材83の相互作用するテーパ面85A〜85Bに沿ったテーパ面339A〜339Bの移動によって、圧力ジャケット300の終端部327が遠位方向に圧接／排出される。本明細書で説明するように、圧力ジャケット300が回転すると、ロック／リリースリング84もまた回転して、各偏向可能な保持要素78がガイドトラック90に沿って半径方向外向きに第2の端部94に向かって案内され、この場合には、各偏向可能な保持要素78は最も半径方向外側の位置にある。この位置では、テーパ面339A〜339Bと係合部材83の相互作用するテーパ面85A〜85Bとの相互作用によって生じる軸方向の力によって、バレル318および保持リング341は、1つまたは複数の偏向可能な保持要素78に逆らって遠位に圧接され、1つまたは複数の偏向可能な保持要素78を第1の位置から第2の位置に半径方向外側にさらに圧接する。1つまたは複数の偏向可能な保持要素78のロックリップ80が、ユーザが遠位の力を加えずに圧力ジャケット300の保持フランジ341を取り除く際に、圧力ジャケット300は、ポート160から排出され、圧接され、または飛び出すことができる。軸方向の引っ張りを必要としないなど、ユーザの労力を必要とせずにロック解除および圧力ジャケット300からの排出または飛び出しのための十分な回転のこの触覚的かつ物理的な確認は、従来技術の圧力ジャケットに対する著しい改良である。排出された圧力ジャケット300は、圧力ジャケット300を遠位方向に引き出すことによって、ロック機構3500から容易に取り外すことができる。保持リング341がロックリップ80を越えて遠位に移動し、かつ／または少なくとも1つの係合部材320が1つまたは複数の係合部材83から外れる場合など、圧力ジャケット300がロック機構3500から排出されると、ロック／リリースリング84が第2の弾力的な弾性部材96の復元作用の下で第1の位置に回転され、1つまたは複数の偏向可能な保持要素78が第1の初期位置に戻され、ロック機構3500が新しい圧力ジャケット300の挿入について準備ができる。
【０１２０】
圧力ジャケット300と一体化されて示し説明しているが、図11Aの1つまたは複数の係合部材320は、代わりに、圧力ジャケット300の近位端317などの、圧力ジャケット300の少なくとも一部に取り外し可能にまたは取り外し不能に取り付けられた別個の部品またはアダプタから形成されてもよい。このようにして、従来の圧力ジャケットは、圧力ジャケットが上述したロック機構3500を有するポート160と確実にインターフェースできるように、ロック機構3500に適合することができる。
【０１２１】
本開示の代替的な態様によれば、上述の圧力ジャケット300とポート160との間の接続インターフェースの構造的詳細を逆にすることができる。すなわち、圧力ジャケット300の接続インターフェースは、たとえば、ロック機構3500および対応する機構を含むことができ、ポート160の接続インターフェースは、1つまたは複数の係合部材320を含むことができる。
【０１２２】
次に、図12A〜図12Bを参照すると、本開示の代替的な態様が示されている。各シリンジを軸方向に保持するために、それぞれの圧力ジャケット300の遠位端の周りに配置されたキャップ400を有することが好ましい。図12Aに示すように、キャップ400は、好ましくは、圧力ジャケット300に取り付けるための1つまたは複数の係合部材3200などの接続インターフェース、ならびシリンジ（図示せず）の一部がそれを通って延在することができるように形成された開口部410（図12Bに示す）を有する。
【０１２３】
圧力ジャケット300とキャップ400との間の確実な接続を得るために、いくつかの態様では、圧力ジャケット300とキャップ400との間のそれぞれのインターフェースは、図1A〜図4Qに関して本明細書で詳細に説明したようにそれらがシリンジ12とシリンジポート16との間の相互作用と、あるいは図11A〜図11Bに関して本明細書で詳細に説明したように、圧力ジャケット300とポート160との間の相互作用と、実質的に同様に相互作用するように構成されてもよい。例示的かつ非限定的な態様では、圧力ジャケット300の遠位端324は、ロック機構3500（図12Bに示す）を有する接続インターフェースを有することができる。ロック機構3500は、図2A〜図2Bを参照して本明細書で詳細に説明するロック機構35および／または図11Bを参照して本明細書で詳細に説明するロック機構3500と類似していてもよく、類似または同一の部品を含んでもよい。したがって、ロック機構3500の詳細な説明は省略する。図12Aに示すキャップ400の接続インターフェースは、1つまたは複数の係合部材3200を含むことができる。1つまたは複数の係合部材3200は、図1A〜図4Qを参照して本明細書で詳細に説明する1つもしくは複数の係合部材32および／または図11Aを参照して本明細書で詳細に説明する1つもしくは複数の係合部材320と類似していてもよく、類似または同一の部品を含んでもよい。したがって、1つまたは複数の係合部材3200の詳細な説明は省略する。圧力ジャケット300の接続インターフェースとキャップ400の接続インターフェースとの間の係合は、図2A〜図2Bおよび／または図11A〜図11Bに関して上述したものと同一または実質的に同様であってもよい。このように、キャップ400は、圧力ジャケット300の遠位端324と確実に係合可能であり、かつそれから容易に取り外し可能である。
【０１２４】
図12Bのロック機構3500は、圧力ジャケット300と一体化して示し説明しているが、代替的に、圧力ジャケット300の遠位端324などの圧力ジャケット300の少なくとも一部に取り付け可能な別個の部品として形成されてもよい。このようにして、従来の圧力ジャケットは、圧力ジャケットが上述した1つまたは複数の係合部材3200を有するキャップ400と確実にインターフェースできるように、ロック機構3500に適合することができる。
【０１２５】
シリンジ12の少なくとも一部とは別個にそれを囲むように形成されたキャップ400の代替として、キャップ400は、図13に示すようなシリンジ12、またはシリンジ壁のための回転ダイアフラムを備えたシリンジなどの圧縮可能なシリンジの遠位端24と一体化され、またはそれに取り付けられてもよい。様々な態様では、シリンジ12は、キャップ400に取り外し可能に、または取り外し不能に接続されてもよい。いくつかの態様では、キャップ400は、シリンジ12の本体と直接モールドまたは形成されるか、あるいはシリンジ遠位端に共成形されるか、あるいはシリンジ遠位端に接続されてもよい。他の態様では、シリンジ12の少なくとも一部は、キャップ400に取り外し可能に固定されてもよい。たとえば、キャップ400の内側側壁410は、シリンジ12の遠位端24上の対応するネジまたは接続部材と係合する1つまたは複数のネジまたは他の接続部材を有することができる。他の態様では、シリンジ12は、スナップ嵌め、締まりばめ、接着接続、共成形または他の機械的固定構成によってキャップ400に固定することができる。シリンジ12は、ビルトインキャップ400を有してもよい。シリンジ12は、流体で予め充填されてもよく、または流体で満たされ得るように空であってもよい。シリンジの少なくとも一部は、キャップ400上の開口部410を介してアクセス可能であり、様々な流体ラインとの接続を容易にすることができる。
【０１２６】
図13に示すキャップ400の接続インターフェースは、1つまたは複数の係合部材3200を含むことができる。1つまたは複数の係合部材3200は、図1A〜図4Qを参照して本明細書で詳細に説明する1つもしくは複数の係合部材32および／または図11Aを参照して本明細書で詳細に説明する1つもしくは複数の係合部材320と類似していてもよく、類似または同一の部品を含んでもよい。したがって、1つまたは複数の係合部材3200の詳細な説明は省略する。圧力ジャケット300の接続インターフェースとキャップ400の接続インターフェースとの間の係合は、図2A〜図2Bおよび／または図11A〜図11Bに関して上述したものと同一または実質的に同様であってもよい。
【０１２７】
本開示の代替的な態様によれば、上述の圧力ジャケット300とキャップ400との間の接続インターフェースの構造的詳細を逆にすることができる。すなわち、圧力ジャケット300の接続インターフェースは、たとえば、係合部材3200および対応する機構を含むことができ、キャップ400の接続インターフェースは、ロック機構3500を含むことができる。
【０１２８】
本開示は、現在最も実用的で好ましい態様であると現在考えられているものに基づいて説明するために詳細に記載されているが、そのような詳細はその目的のためのみであり、本開示は、開示された態様に限定されるものではなく、それとは反対に、変形例および均等例の構成をカバーすることが意図されている。たとえば、本開示は、可能な限り、任意の態様の1つまたは複数の特徴を任意の他の態様の1つまたは複数の特徴と組み合わせることができることを意図していることを理解されたい。
【符号の説明】
【０１２９】
10  インジェクタ
11  流体確認部材
12  シリンジ
12A  シリンジ
12B  アダプタ
14  ハウジング
15  長手方向軸
16  シリンジポート、インジェクタポート
17  流体経路セット
18  シリンジバレル
19  側壁
20  近位端
21  外面
22  ノズル
23  内面、内側側壁
24  遠位端
25  内部容積
26  プランジャ
27  終端部
27A  終端部
28  剛性内側要素
29  エラストマーカバー
30  挿入部分
32  係合部材
32B  係合部材
32C  係合部材
32D  係合部材
32F  係合部材、テーパ面
32G  係合部材
32H  係合部材
32I  係合部材
32J  係合部材
32K  係合部材
32L  係合部材
32M  係合部材
32N  係合部材
32O  係合部材
32P  係合部材
32Q  係合部材
34E  係合部材
35  ロック機構
36  ドリップフランジ
37  近位端
39A  テーパ面
39B  テーパ面
41  保持フランジ、保持リング
41R  保持面
48  ガイドリング
49  符号化装置
51  センサ
59  停止面
60  凹部
70  ハウジング
71  中央開口部
72  本体
73  内側側壁
74  タブ
76  溝
78  保持要素
78R  保持面
80  ロックリップ
81  保持ギャップ
83  シリンジ係合部材
83B  シリンジ係合部材
83C  シリンジ係合部材
83D  シリンジ係合部材
83F  シリンジ係合部材
83FA  底面
83FB  遠位突起
83G  シリンジ係合部材
83GB  突起
83H  シリンジ係合部材
83I  シリンジ係合部材
83J  シリンジ係合部材
83K  シリンジ係合部材
83L  シリンジ係合部材
83M  シリンジ係合部材
83N  シリンジ係合部材
83O  シリンジ係合部材
83P  シリンジ係合部材
83Q  シリンジ係合部材
84  ロック／リリースリング
84F  ロック／リリースリング
85A  テーパ付き案内面
85B  相互作用面
86  ガイドスロット
87A  ロック部材
87B  ロック部材
88  上面
90  ガイドトラック
92  端部
94  端部
96  弾性部材
98  ベース
100  接続インターフェース
102  弾性部材
110  プランジャ本体
112  遠位端
114  近位端
116  シール
120  ピストン
130  カップリング
132  部分
134  部分
160  シリンジポート
230  アダプタ
232  部分
234  部分
270  終端部
300  圧力ジャケット
301  挿入部分
311  挿入部分
315  長手方向軸
317  近位端
318  シリンジバレル
319  側壁
320  係合部材
321  外面
323  内面
324  遠位端
325  内部容積
327  終端部
336  ドリップフランジ
337  近位端
339A  テーパ面
339B  テーパ面
341  保持フランジ
350  ロック機構
360  ドリップフランジ
370  近位端
390A  テーパ面
390B  テーパ面
400  キャップ
410  保持フランジ
480  ガイドリング
590  停止面
600  凹部
700  ハウジング
710  中央開口部
720  本体
730  内側側壁
740  タブ
760  溝
780  保持要素
800  ロックリップ
830  シリンジ係合部材
840  ロック／リリースリング
850A  相互作用面
850B  相互作用面
860  ガイドスロット
880  上面
900  ガイドトラック
920  端部
940  端部
960  弾性部材
980  ベース
1020  弾性部材
3200  係合部材
3500  ロック機構
【図１Ａ】
2017532156.tif 000003
【図１Ｂ】
2017532156.tif 000004
【図２Ａ】
2017532156.tif 000005
【図２Ｂ】
2017532156.tif 000006
【図３Ａ】
2017532156.tif 000007
【図３Ｂ】
2017532156.tif 000008
【図３Ｃ】
2017532156.tif 000009
【図３Ｄ】
2017532156.tif 000010
【図４Ａ】
2017532156.tif 000011
【図４Ｂ】
2017532156.tif 000012
【図４Ｃ】
2017532156.tif 000013
【図４Ｄ】
2017532156.tif 000014
【図４Ｅ】
2017532156.tif 000015
【図４Ｆ】
2017532156.tif 000016
【図４Ｇ】
2017532156.tif 000017
【図４Ｈ】
2017532156.tif 000018
【図４Ｉ】
2017532156.tif 000019
【図４Ｊ】
2017532156.tif 000020
【図４Ｋ】
2017532156.tif 000021
【図４Ｌ】
2017532156.tif 000022
【図４Ｍ】
2017532156.tif 000023
【図４Ｎ】
2017532156.tif 000024
【図４Ｏ】
2017532156.tif 000025
【図４Ｐ】
2017532156.tif 000026
【図４Ｑ】
2017532156.tif 000027
【図５Ａ】
2017532156.tif 000028
【図５Ｂ】
2017532156.tif 000029
【図６Ａ】
2017532156.tif 000030
【図６Ｂ】
2017532156.tif 000031
【図７Ａ】
2017532156.tif 000032
【図７Ｂ】
2017532156.tif 000033
【図７Ｃ】
2017532156.tif 000034
【図８Ａ】
2017532156.tif 000035
【図８Ｂ】
2017532156.tif 000036
【図９Ａ】
2017532156.tif 000037
【図９Ｂ】
2017532156.tif 000038
【図１０Ａ】
2017532156.tif 000039
【図１０Ｂ】
2017532156.tif 000040
【図１０Ｃ】
2017532156.tif 000041
【図１１Ａ】
2017532156.tif 000042
【図１１Ｂ】
2017532156.tif 000043
【図１２Ａ】
2017532156.tif 000044
【図１２Ｂ】
2017532156.tif 000045
【図１３】
2017532156.tif 000046
【国際調査報告】
2017532156.tif 000047
2017532156.tif 000048
2017532156.tif 000049